(57)【要約】  放送コンテンツと通信コンテンツとのレイアウトを変更することができる放送受信装置（１０Ａ）は、通信を介して配信される通信コンテンツを受信する通信コンテンツ受信部（１１ｂ）と、放送コンテンツを受信する放送コンテンツ受信部（１１ａ）と、放送コンテンツによって示される動画像である放送動画像のピクチャと、通信コンテンツによって示される動画像である通信動画像のピクチャとを保持するためのプレーン（１３ａ，１３ｂ）と、放送動画像および通信動画像のレイアウトを示すレイアウト情報（２０）を取得するレイアウト情報取得部（１２）と、レイアウト情報（２０）にしたがって、ピクチャごとに、プレーン（１３ａ，１３ｂ）に保持されている放送動画像のピクチャと通信動画像のピクチャとを重ねて出力する重畳部（１４）とを備える。
2013061526.tif 000002
【特許請求の範囲】
【請求項１】
放送される放送コンテンツを受信する放送受信装置であって、
放送以外の通信を介して配信される、前記放送コンテンツに関連する通信コンテンツを受信する通信コンテンツ受信部と、
前記放送コンテンツを受信する放送コンテンツ受信部と、
前記放送コンテンツによって示される動画像である放送動画像のピクチャと、前記通信コンテンツによって示される動画像である通信動画像のピクチャとを保持するためのプレーンと、
前記放送動画像および前記通信動画像のレイアウトを示すレイアウト情報を、前記放送受信装置の外部から取得するレイアウト情報取得部と、
前記レイアウト情報にしたがって、ピクチャごとに、前記プレーンに保持されている前記放送動画像のピクチャと前記通信動画像のピクチャとを重ねて出力する重畳部と
を備える放送受信装置。
【請求項２】
前記レイアウト情報は、
前記放送動画像および前記通信動画像のうちの一方の動画像が、他方の動画像よりも小さく、当該他方の動画像の上に重ねられる場合には、前記他方の動画像のうちの特徴部分を除く位置に前記一方の動画像が重ねられるように、前記放送動画像の表示サイズおよび表示位置と、前記通信動画像の表示サイズおよび表示位置とを示し、
前記重畳部は、
前記レイアウト情報によって示される、前記放送動画像および前記通信動画像のそれぞれの表示サイズで、前記レイアウト情報によって示される、前記放送動画像および前記通信動画像のそれぞれの表示位置に、前記放送動画像および前記放送動画像を配置する
請求項１に記載の放送受信装置。
【請求項３】
前記レイアウト情報は、第１のレイアウトと第２のレイアウトとを示し、
前記放送受信装置は、さらに、
レイアウトの指示を受け付ける指示受付部を備え、
前記重畳部は、
前記指示受付部によって前記第１のレイアウトの指示が受け付けられた場合には、前記第１のレイアウトにしたがって、前記通信動画像を前記放送動画像に重ねて出力し、
前記指示受付部によって前記第２のレイアウトの指示が受け付けられた場合には、前記第２のレイアウトにしたがって、前記放送動画像を前記通信動画像に重ねて出力する
請求項１に記載の放送受信装置。
【請求項４】
前記プレーンは、前記放送動画像および前記通信動画像のうちの一方の動画像のピクチャを保持するための第１のプレーンと、他方の動画像のピクチャを保持するための第２のプレーンとを有し、
前記重畳部は、前記放送動画像のピクチャおよび前記通信動画像のピクチャをそれぞれ保持するためのプレーンを、第１のプレーンと第２のプレーンとで切り替えることによって、前記通信動画像を前記放送動画像の前面または背面に配置する
請求項１に記載の放送受信装置。
【請求項５】
前記放送受信装置は、さらに、
同期情報を前記放送受信装置の外部から取得する同期情報取得部を備え、
前記重畳部は、前記同期情報にしたがって、前記通信動画像と前記放送動画像とを重ねて出力することによって、前記通信動画像を前記放送動画像に同期させる
請求項１に記載の放送受信装置。
【請求項６】
前記同期情報は、前記通信コンテンツ内の再生位置と、当該再生位置のデータが再生される再生時刻とを関連付けて示し、
前記重畳部は、前記同期情報によって示される再生時刻に、前記通信動画像のうち、当該再生時刻に関連付けて示される再生位置にあるピクチャと、前記放送動画像のピクチャとを重ねて出力する
請求項５に記載の放送受信装置。
【請求項７】
前記同期情報は、さらに、前記放送コンテンツのタイプを放送タイプとして示し、
前記重畳部は、前記放送タイプによって、前記放送コンテンツがライブ放送されるコンテンツであるか否かを判別し、ライブ放送されるコンテンツであると判別すると、前記放送動画像と前記通信動画像との重ね合わせを禁止する
請求項５に記載の放送受信装置。
【請求項８】
前記同期情報は、さらに、静止画を特定するための静止画特定情報を含み、
前記重畳部は、前記静止画特定情報によって特定される静止画と、前記放送動画像および前記通信動画像とを重ねて出力する
請求項５に記載の放送受信装置。
【請求項９】
前記重畳部は、通信コンテンツが前記通信コンテンツ受信部によって受信されない場合には、前記通信動画像を重ねることなく、前記放送動画像を出力する
請求項１に記載の放送受信装置。
【請求項１０】
前記重畳部は、
前記通信動画像がディスプレイの表示サイズ全体に表示され、前記放送動画像が前記ディスプレイの表示サイズよりも小さいサイズで前記通信動画像に重ねられている際に、前記通信コンテンツが前記通信コンテンツ受信部によって受信されていない状態になると、
前記放送動画像の表示サイズを、前記ディスプレイの表示サイズまで拡大し、
前記通信コンテンツが前記通信コンテンツ受信部によって受信されている状態になると、前記放送動画像の表示サイズを、前記ディスプレイの表示サイズよりも小さいサイズに縮小する
請求項１に記載の放送受信装置。
【請求項１１】
前記放送受信装置は、さらに、
前記放送以外の通信の状況を示す通信状況情報を取得する通信状況取得部を備え、
前記通信コンテンツ受信部は、
前記放送コンテンツに関連する複数の通信コンテンツのうち、前記通信状況情報によって示される通信の状況に応じた品質を有する前記通信コンテンツを受信する
請求項１に記載の放送受信装置。
【請求項１２】
前記複数の通信コンテンツのそれぞれのビットレート、または、前記複数の通信コンテンツのそれぞれの解像度は、互いに異なり、
前記通信コンテンツ受信部は、
前記複数の通信コンテンツのうち、前記通信状況情報によって示される通信の状況に応じたビットレートまたは解像度を有する前記通信コンテンツを受信する
請求項１１に記載の放送受信装置。
【請求項１３】
前記放送受信装置は、さらに、
前記放送以外の通信の状況を示す通信状況情報を取得する通信状況取得部を備え、
前記重畳部は、
前記通信状況情報によって示される通信の状況である指標値が所定の値よりも低いまたは高い場合には、前記通信動画像を重ねることなく、前記放送動画像を出力する
請求項１に記載の放送受信装置。
【請求項１４】
前記重畳部は、
前記放送動画像および通信動画像が、それぞれが互いに異なる目に視認されることによって立体視される、複数のピクチャからなる動画像である場合には、
前記放送動画像に含まれるピクチャである放送ピクチャと、通信動画像に含まれるピクチャであって、前記放送ピクチャと対になって立体視される通信ピクチャとをそれぞれ重ねることなく、単位時間内に連続して出力し、
前記通信ピクチャが前記通信コンテンツ受信部によって受信されなかった場合には、前記放送ピクチャを、単位時間内に２回連続して出力する
請求項１に記載の放送受信装置。
【請求項１５】
前記通信コンテンツ受信部は、
前記放送コンテンツ受信部によって前記放送コンテンツが受信されている際に、前記放送以外の通信の状況が、前記通信コンテンツが受信可能な受信可能状況から、受信不可能な受信不可状況になり、再び受信可能状況になったときには、
再び前記受信可能状況になったとき以降に前記放送コンテンツ受信部によって受信される前記放送コンテンツの一部に関連する他の通信コンテンツを受信し、
前記重畳部は、
前記レイアウト情報にしたがって、前記放送動画像と前記他の通信動画像とを重ねて出力する
請求項１に記載の放送受信装置。
【請求項１６】
前記放送受信装置は、さらに、
前記放送コンテンツの続きの動画像を示す他の通信コンテンツの所在を示す所在情報を取得する所在情報取得部を備え、
前記通信コンテンツ受信部は、
前記放送コンテンツ受信部による前記放送コンテンツの受信が終了すると、前記所在情報によって示される所在から前記他の通信コンテンツを受信し、
前記重畳部は、
前記放送コンテンツ受信部による前記放送コンテンツの受信が終了した後、前記他の通信コンテンツを出力する
請求項１に記載の放送受信装置。
【請求項１７】
前記放送受信装置は、さらに、
前記放送動画像と同一の前記通信動画像を示す前記通信コンテンツの所在を示す所在情報を取得する所在情報取得部を備え、
前記通信コンテンツ受信部は、
前記放送コンテンツ受信部による前記放送コンテンツの受信が開始された後に、ユーザからの操作を受け付けると、前記所在情報によって示される所在から前記通信コンテンツを受信し、
前記重畳部は、
前記放送コンテンツの受信が開始されときに、前記放送動画像の出力を開始し、前記通信コンテンツの受信が開始されときに、前記レイアウト情報にしたがって、前記放送動画像と、前記通信コンテンツの先頭から示される前記通信動画像とを重ねて出力する
請求項１に記載の放送受信装置。
【請求項１８】
前記重畳部は、
前記放送動画像と前記通信動画像とを重ねる代わりに、 
前記通信動画像がディスプレイの表示サイズ全体に表示されるように、前記通信動画像を拡大して、前記通信動画像を出力する
請求項１７に記載の放送受信装置。
【請求項１９】
前記重畳部は、
前記放送動画像のうちの表示されている画像と、前記通信動画像のうちの表示されている画像とが等しくなるまで、早送り再生される前記通信コンテンツの通信動画像を出力し、
前記放送動画像のうちの表示されている画像と、前記通信動画像のうちの表示されている画像とが等しくなると、通常再生される前記通信コンテンツの通信動画像を出力する
請求項１７に記載の放送受信装置。
【請求項２０】
放送される放送コンテンツを放送受信装置が受信する放送受信方法であって、
放送以外の通信を介して配信される、前記放送コンテンツに関連する通信コンテンツを受信し、
前記放送コンテンツを受信し、
前記放送コンテンツによって示される動画像である放送動画像のピクチャと、前記通信コンテンツによって示される動画像である通信動画像のピクチャとをプレーンに保持させ、
前記放送動画像および前記通信動画像のレイアウトを示すレイアウト情報を、前記放送受信装置の外部から取得し、
前記レイアウト情報にしたがって、ピクチャごとに、前記プレーンに保持されている前記放送動画像のピクチャと前記通信動画像のピクチャとを重ねて出力する
放送受信方法。
【請求項２１】
放送される放送コンテンツを放送受信装置が受信するためのプログラムであって、
放送以外の通信を介して配信される、前記放送コンテンツに関連する通信コンテンツを受信し、
前記放送コンテンツを受信し、
前記放送コンテンツによって示される動画像である放送動画像のピクチャと、前記通信コンテンツによって示される動画像である通信動画像のピクチャとをプレーンに保持させ、
前記放送動画像および前記通信動画像のレイアウトを示すレイアウト情報を、前記放送受信装置の外部から取得し、
前記レイアウト情報にしたがって、ピクチャごとに、前記プレーンに保持されている前記放送動画像のピクチャと前記通信動画像のピクチャとを重ねて出力する
ことを、前記放送受信装置に備えられたコンピュータに実行させるためのプログラム。 
【発明の詳細な説明】
【技術分野】
【０００１】
本発明は、放送される放送コンテンツを受信する放送受信装置に関し、特に、放送以外の通信によって配信される通信コンテンツも受信する放送受信装置などに関する。
【背景技術】
【０００２】
近年、インターネットテレビ、スマートテレビと呼ばれる通信を利用してコンテンツをダウンロードして再生することが可能なテレビ受像機（以下、ＴＶという）が主流になりつつある（例えば、特許文献１〜３参照）。【０００３】
たとえば、このようなＴＶは、放送コンテンツを受信する放送受信装置として構成されるとともに、インターネットに接続される。そして、ＴＶは、接続されたインターネットを介して所望の通信コンテンツであるビデオを検索し、そのビデオをダウンロードして再生する。また、ＴＶは、オンデマンドにより、映像音楽配信サイトからストリーミング配信されるコンテンツを受信して再生する。また、ＴＶは、ゲームやユーティリティーなどのアプリケーションプログラムをダウンロードして実行し、さらに、ソーシャルネットワークサービスの通信機能などを有する。
【先行技術文献】
【特許文献】
【０００４】
【特許文献１】特開２００７−６８１７２号公報
【特許文献２】特開２００５−２６８６７号公報
【特許文献３】特表２００９−５０３６０２号公報
【発明の概要】
【発明が解決しようとする課題】
【０００５】
しかしながら、上記特許文献１〜３の放送受信装置では、放送コンテンツの動画像と通信コンテンツの動画像とのレイアウトを変更することができないという問題がある。【０００６】
そこで、本発明は、放送コンテンツと通信コンテンツとのレイアウトを変更することができる放送受信装置を提供する。
【課題を解決するための手段】
【０００７】
本発明の一態様に係る放送受信装置は、放送される放送コンテンツを受信する放送受信装置であって、放送以外の通信を介して配信される、前記放送コンテンツに関連する通信コンテンツを受信する通信コンテンツ受信部と、前記放送コンテンツを受信する放送コンテンツ受信部と、前記放送コンテンツによって示される動画像である放送動画像のピクチャと、前記通信コンテンツによって示される動画像である通信動画像のピクチャとを保持するためのプレーンと、前記放送動画像および前記通信動画像のレイアウトを示すレイアウト情報を、前記放送受信装置の外部から取得するレイアウト情報取得部と、前記レイアウト情報にしたがって、ピクチャごとに、前記プレーンに保持されている前記放送動画像のピクチャと前記通信動画像のピクチャとを重ねて出力する重畳部とを備える。【０００８】
なお、この包括的または具体的な態様は、システム、方法、集積回路、コンピュータプログラムまたはコンピュータ読み取り可能なＣＤ−ＲＯＭなどの記録媒体で実現されてもよく、システム、方法、集積回路、コンピュータプログラムおよび記録媒体の任意な組み合わせで実現されてもよい。
【発明の効果】
【０００９】
本発明の放送受信装置は、放送コンテンツと通信コンテンツとのレイアウトを変更することができる。
【図面の簡単な説明】
【００１０】
【図１】図１は、実施の形態１における放送受信装置を備えたＴＶを有するシステムを示す図である。
【図２】図２は、実施の形態１におけるＰｉＰ画像の一例を示す図である。
【図３】図３は、実施の形態１における放送受信装置の構成を示す図である。
【図４】図４は、実施の形態１におけるレイアウト情報の一例を示す図である。
【図５】図５は、実施の形態１における放送受信装置の動作を示すフローチャートである。
【図６】図６は、実施の形態１の変形例１に係るレイアウト情報を示す図である。
【図７】図７は、実施の形態１の変形例１に係る放送受信装置の構成を示す図である。
【図８】図８は、実施の形態１の変形例２に係る放送受信装置の構成を示す図である。
【図９】図９は、実施の形態１の変形例２に係る同期情報の一例を示す図である。
【図１０】図１０は、実施の形態１の変形例３に係る放送受信装置の構成を示す図である。
【図１１】図１１は、実施の形態１の変形例４に係る放送受信装置の構成を示す図である。
【図１２Ａ】図１２Ａは、実施の形態１の変形例５に係る重畳部から出力されるピクチャを示す図である。
【図１２Ｂ】図１２Ｂは、実施の形態１の変形例５に係る放送受信装置の構成を示す図である。
【図１３】図１３は、実施の形態２における放送受信装置の内部構成を示すブロック図である。
【図１４】図１４は、実施の形態２における番組一覧情報の一例を示す図である。
【図１５】図１５は、実施の形態２における画面レイアウト情報および同期コンテンツ情報の一例を示す図である。
【図１６】図１６は、実施の形態２における放送受信装置が放送コンテンツと通信コンテンツとを同期させて再生する処理を示すフローチャートである。
【図１７】図１７は、実施の形態２における通信コンテンツ取得処理の詳細を示すフローチャートである。
【図１８】図１８は、実施の形態２の変形例１に係る同期コンテンツ情報の一例を示す図である。
【図１９】図１９は、実施の形態２の変形例１に係る放送受信装置による放送タイプを用いた再生処理を示すフローチャートである。
【図２０】図２０は、実施の形態２の変形例２に係る放送受信装置の内部構成を示すブロック図である。
【図２１】図２１は、実施の形態２の変形例２に係る放送受信装置によるレイアウトの変更（重畳順の切り替え）の一例を示すフローチャートである。
【図２２】図２２は、実施の形態２の変形例３に係る同期コンテンツ情報の一例を示す図である。
【図２３】図２３は、実施の形態２の変形例４に係る放送受信装置によって表示されるＰｉＰ画像の一例を示す図である。
【図２４】図２４は、実施の形態２の変形例４に係る同期コンテンツ情報の一例を示す図である。
【図２５】図２５は、実施の形態２の変形例５に係る放送受信装置の内部構成を示すブロック図である。
【発明を実施するための形態】
【００１１】
（本発明の基礎となった知見）
「背景技術」の欄において記載した各放送受信装置は、具体的には以下のとおりである。
【００１２】
特許文献１の放送受信装置は、放送コンテンツと通信コンテンツとを同期させて再生する。より具体的には、この放送受信装置は、放送コンテンツの放送開始時刻よりも前に、通信コンテンツの受信を開始することによって、放送コンテンツと通信コンテンツとを同期させて再生する。つまり、放送開始時刻より前に、通信コンテンツに関する情報が放送信号に埋め込まれて放送され、放送受信装置は、その情報を事前に取得することによって、通信コンテンツの受信を放送コンテンツの受信よりも前に開始することができる。
【００１３】
また、特許文献２の放送受信装置は、上述のような情報を電子番組ガイドから取得する。より具体的には、この放送受信装置は、Ｗｅｂサイトに通信コンテンツの情報が存在する場合でも、電子番組ガイドから通信コンテンツに関する情報を取得する。したがって、放送受信装置は、放送される番組の選択以前に通信コンテンツに関する情報を取得し、その情報を用いることによって放送コンテンツと通信コンテンツとのそれぞれの再生を同期させる。
【００１４】
また、特許文献３の放送受信装置は、メインのビデオとサブのビデオとを同期させて再生するという方法（ＰｉＰ：Ｐｉｃｔｕｒｅ  ｉｎ  Ｐｉｃｔｕｒｅ）を用いる。この方法では、大きく表示されるメインのビデオの上に、小さく表示されるサブのビデオが重ねられる。
【００１５】
しかしながら、本発明者は、上記特許文献１〜３の放送受信装置では、放送コンテンツの動画像と通信コンテンツの動画像とのレイアウトを変更することができないという問題があることを見出した。つまり、特許文献１および２の放送受信装置のように、放送コンテンツの動画像と通信コンテンツの動画像とを同期させて再生させる場合に、特許文献３のＰｉＰの方法を用いても、放送コンテンツの動画像と通信コンテンツの動画像とのレイアウトは固定されてしまう。なお、特許文献３のＰｉＰの方法では、メインのビデオが書き込まれるプレーンとサブのビデオが書き込まれるプレーンとが固定されているため、サブのビデオを全画面表示するとメインのビデオが見えなくなってしまう。
【００１６】
このような問題を解決するために、本発明の一態様に係る放送受信装置は、放送される放送コンテンツを受信する放送受信装置であって、放送以外の通信を介して配信される、前記放送コンテンツに関連する通信コンテンツを受信する通信コンテンツ受信部と、前記放送コンテンツを受信する放送コンテンツ受信部と、前記放送コンテンツによって示される動画像である放送動画像のピクチャと、前記通信コンテンツによって示される動画像である通信動画像のピクチャとを保持するためのプレーンと、前記放送動画像および前記通信動画像のレイアウトを示すレイアウト情報を、前記放送受信装置の外部から取得するレイアウト情報取得部と、前記レイアウト情報にしたがって、ピクチャごとに、前記プレーンに保持されている前記放送動画像のピクチャと前記通信動画像のピクチャとを重ねて出力する重畳部とを備える。
【００１７】
これにより、レイアウト情報により示されるレイアウトにしたがって、放送動画像と通信動画像とが重ねられて出力されるため、そのレイアウト情報に応じて、放送コンテンツの動画像と通信コンテンツの動画像とのレイアウトを変更することができる。つまり、放送局がレイアウト情報を放送する場合には、放送局側でレイアウトを変更することができる。
【００１８】
また、前記レイアウト情報は、前記放送動画像および前記通信動画像のうちの一方の動画像が、他方の動画像よりも小さく、当該他方の動画像の上に重ねられる場合には、前記他方の動画像のうちの特徴部分を除く位置に前記一方の動画像が重ねられるように、前記放送動画像の表示サイズおよび表示位置と、前記通信動画像の表示サイズおよび表示位置とを示し、前記重畳部は、前記レイアウト情報によって示される、前記放送動画像および前記通信動画像のそれぞれの表示サイズで、前記レイアウト情報によって示される、前記放送動画像および前記通信動画像のそれぞれの表示位置に、前記放送動画像および前記放送動画像を配置してもよい。
【００１９】
これにより、放送動画像および通信動画像のレイアウトを、表示サイズおよび表示位置によって適切に変更することができる。
【００２０】
また、前記レイアウト情報は、第１のレイアウトと第２のレイアウトとを示し、前記放送受信装置は、さらに、レイアウトの指示を受け付ける指示受付部を備え、前記重畳部は、前記指示受付部によって前記第１のレイアウトの指示が受け付けられた場合には、前記第１のレイアウトにしたがって、前記通信動画像を前記放送動画像に重ねて出力し、前記指示受付部によって前記第２のレイアウトの指示が受け付けられた場合には、前記第２のレイアウトにしたがって、前記放送動画像を前記通信動画像に重ねて出力してもよい。
【００２１】
これにより、例えばユーザからのレイアウトの指示が受け付けられる場合には、レイアウト情報により示される範囲でユーザがそのレイアウトを変更することができる。 
【００２２】
また、前記プレーンは、前記放送動画像および前記通信動画像のうちの一方の動画像のピクチャを保持するための第１のプレーンと、他方の動画像のピクチャを保持するための第２のプレーンとを有し、前記重畳部は、前記放送動画像のピクチャおよび前記通信動画像のピクチャをそれぞれ保持するためのプレーンを、第１のプレーンと第２のプレーンとで切り替えることによって、前記通信動画像を前記放送動画像の前面または背面に配置してもよい。
【００２３】
これにより、例えば、第１のプレーンに保持されるピクチャが背面に配置され、第２のプレーンに保持されるピクチャが前面に配置されるように、それぞれのプレーンのピクチャが重ねられる順序が固定されている場合であっても、各プレーンに格納されるピクチャの種類が切り替えられるため、放送動画像のピクチャと通信動画像のピクチャとが重ねられる順序を適切に変更することができる。
【００２４】
また、前記放送受信装置は、さらに、同期情報を前記放送受信装置の外部から取得する同期情報取得部を備え、前記重畳部は、前記同期情報にしたがって、前記通信動画像と前記放送動画像とを重ねて出力することによって、前記通信動画像を前記放送動画像に同期させてもよい。
【００２５】
これにより、通信動画像と放送動画像とを適切に重畳させた状態で同期させることができ、ユーザに対して見やすい映像を映し出すことができる。
【００２６】
また、前記同期情報は、前記通信コンテンツ内の再生位置と、当該再生位置のデータが再生される再生時刻とを関連付けて示し、前記重畳部は、前記同期情報によって示される再生時刻に、前記通信動画像のうち、当該再生時刻に関連付けて示される再生位置にあるピクチャと、前記放送動画像のピクチャとを重ねて出力してもよい。
【００２７】
これにより、通信動画像に含まれる複数のピクチャのうち、放送動画像のピクチャに対して適切なピクチャと、その放送動画像のピクチャとを重畳することができる。
【００２８】
また、前記同期情報は、さらに、前記放送コンテンツのタイプを放送タイプとして示し、前記重畳部は、前記放送タイプによって、前記放送コンテンツがライブ放送されるコンテンツであるか否かを判別し、ライブ放送されるコンテンツであると判別すると、前記放送動画像と前記通信動画像との重ね合わせを禁止してもよい。
【００２９】
放送以外の通信（例えばインターネットを介した通信）の状況が悪くなると、通信コンテンツの受信は遅れる。その結果、放送コンテンツと通信コンテンツとを同期させることができなくなる場合がある。したがって、通信状況による影響を受けた場合でもこれらのコンテンツを適切に同期させるためには、通信コンテンツの受信を、放送コンテンツの受信よりも早めに開始しておく必要がある。しかし、放送コンテンツがライブ放送される場合には、通信コンテンツの受信を、放送コンテンツの受信よりも早めに開始することができない。そこで、本発明の一態様に係る放送受信装置では、放送コンテンツがライブ放送される場合には、放送動画像と通信動画像との重ね合わせを禁止することによって、例えば放送動画像のみをディスプレイに表示させることができ、非同期の動画像が表示されることによってユーザの視聴に負担がかかるのを防ぐことができる。
【００３０】
また、前記同期情報は、さらに、静止画を特定するための静止画特定情報を含み、前記重畳部は、前記静止画特定情報によって特定される静止画と、前記放送動画像および前記通信動画像とを重ねて出力してもよい。
【００３１】
これにより、放送動画像および通信動画像に対して適切な静止画もそれらの動画像に重畳して表示させることができる。
【００３２】
また、前記重畳部は、通信コンテンツが前記通信コンテンツ受信部によって受信されない場合には、前記通信動画像を重ねることなく、前記放送動画像を出力してもよい。
【００３３】
これにより、動画像の無理な重畳がないため、ユーザの視聴にかかる負担を軽減することができる。
【００３４】
また、前記重畳部は、前記通信動画像がディスプレイの表示サイズ全体に表示され、前記放送動画像が前記ディスプレイの表示サイズよりも小さいサイズで前記通信動画像に重ねられている際に、前記通信コンテンツが前記通信コンテンツ受信部によって受信されていない状態になると、前記放送動画像の表示サイズを、前記ディスプレイの表示サイズまで拡大し、前記通信コンテンツが前記通信コンテンツ受信部によって受信されている状態になると、前記放送動画像の表示サイズを、前記ディスプレイの表示サイズよりも小さいサイズに縮小してもよい。
【００３５】
これにより、インターネットを介した通信などの放送以外の通信の通信状況が変動する場合であっても、動画像をユーザに見やすく表示することができる。
【００３６】
また、前記放送受信装置は、さらに、前記放送以外の通信の状況を示す通信状況情報を取得する通信状況取得部を備え、前記通信コンテンツ受信部は、前記放送コンテンツに関連する複数の通信コンテンツのうち、前記通信状況情報によって示される通信の状況に応じた品質を有する前記通信コンテンツを受信してもよい。例えば、前記複数の通信コンテンツのそれぞれのビットレート、または、前記複数の通信コンテンツのそれぞれの解像度は、互いに異なり、前記通信コンテンツ受信部は、前記複数の通信コンテンツのうち、前記通信状況情報によって示される通信の状況に応じたビットレートまたは解像度を有する前記通信コンテンツを受信する。
【００３７】
これにより、そのときの通信状況に応じて、適切な通信コンテンツを受信することができ、通信動画像をユーザに見やすく表示することができる。
【００３８】
また、前記放送受信装置は、さらに、前記放送以外の通信の状況を示す通信状況情報を取得する通信状況取得部を備え、前記重畳部は、前記通信状況情報によって示される通信の状況である指標値が所定の値よりも低いまたは高い場合には、前記通信動画像を重ねることなく、前記放送動画像を出力してもよい。
【００３９】
例えば、通信の状況である指標値は、使用可能なビットレートまたはパケットロスの頻度などであり、これらの指標値が所定の値よりも低いまたは高い場合には、通信コンテンツが通信コンテンツ受信部によって受信されない可能性が高まる。したがって、本発明の一態様に係る放送受信装置では、上述のような場合には、通信動画像が重畳されないため、動画像の無理な重畳を防ぎ、ユーザの視聴にかかる負担を軽減することができる。
【００４０】
また、前記重畳部は、前記放送動画像および通信動画像が、それぞれが互いに異なる目に視認されることによって立体視される、複数のピクチャからなる動画像である場合には、前記放送動画像に含まれるピクチャである放送ピクチャと、通信動画像に含まれるピクチャであって、前記放送ピクチャと対になって立体視される通信ピクチャとをそれぞれ重ねることなく、単位時間内に連続して出力し、前記通信ピクチャが前記通信コンテンツ受信部によって受信されなかった場合には、前記放送ピクチャを、単位時間内に２回連続して出力してもよい。 
【００４１】
これにより、放送動画像と通信動画像とによって、動画像を３Ｄで表示することができるとともに、通信コンテンツが受信されないような場合には、放送ピクチャが２回連続して出力されるため、動画像の表示を３Ｄ表示から２Ｄ表示に適切に切り替えることができ、不適切な動画像が表示されてしまうのを防ぐことができる。
【００４２】
また、前記通信コンテンツ受信部は、前記放送コンテンツ受信部によって前記放送コンテンツが受信されている際に、前記放送以外の通信の状況が、前記通信コンテンツが受信可能な受信可能状況から、受信不可能な受信不可状況になり、再び受信可能状況になったときには、再び前記受信可能状況になったとき以降に前記放送コンテンツ受信部によって受信される前記放送コンテンツの一部に関連する他の通信コンテンツを受信し、前記重畳部は、前記レイアウト情報にしたがって、前記放送動画像と前記他の通信動画像とを重ねて出力してもよい。
【００４３】
これにより、放送以外の通信の状況が復旧した場合にも、レイアウト情報にしたがった動画像の重畳を適切に再開することができる。
【００４４】
また、前記放送受信装置は、さらに、前記放送コンテンツの続きの動画像を示す他の通信コンテンツの所在を示す所在情報を取得する所在情報取得部を備え、前記通信コンテンツ受信部は、前記放送コンテンツ受信部による前記放送コンテンツの受信が終了すると、前記所在情報によって示される所在から前記他の通信コンテンツを受信し、前記重畳部は、前記放送コンテンツ受信部による前記放送コンテンツの受信が終了した後、前記他の通信コンテンツを出力してもよい。
【００４５】
これにより、ユーザは、放送コンテンツの続きを、通信コンテンツで視聴することができ、ユーザに対する利便性を向上することができる。
【００４６】
また、前記放送受信装置は、さらに、前記放送動画像と同一の前記通信動画像を示す前記通信コンテンツの所在を示す所在情報を取得する所在情報取得部を備え、前記通信コンテンツ受信部は、前記放送コンテンツ受信部による前記放送コンテンツの受信が開始された後に、ユーザからの操作を受け付けると、前記所在情報によって示される所在から前記通信コンテンツを受信し、前記重畳部は、前記放送コンテンツの受信が開始されときに、前記放送動画像の出力を開始し、前記通信コンテンツの受信が開始されときに、前記レイアウト情報にしたがって、前記放送動画像と、前記通信コンテンツの先頭から示される前記通信動画像とを重ねて出力してもよい。
【００４７】
これにより、ユーザは、放送コンテンツの最初の部分を見逃した場合でも、その後、通信コンテンツの先頭から、その見逃した部分を見ることができ、ユーザに対する利便性を向上することができる。
【００４８】
また、前記重畳部は、前記放送動画像と前記通信動画像とを重ねる代わりに、前記通信動画像がディスプレイの表示サイズ全体に表示されるように、前記通信動画像を拡大して、前記通信動画像を出力してもよい。
【００４９】
これにより、見逃した部分をユーザに見やすく表示することができる。
【００５０】
また、前記重畳部は、前記放送動画像のうちの表示されている画像と、前記通信動画像のうちの表示されている画像とが等しくなるまで、早送り再生される前記通信コンテンツの通信動画像を出力し、前記放送動画像のうちの表示されている画像と、前記通信動画像のうちの表示されている画像とが等しくなると、通常再生される前記通信コンテンツの通信動画像を出力してもよい。
【００５１】
これにより、見逃した部分が早送り再生されて表示され、通信コンテンツ内の再生位置が、放送コンテンツ内の再生位置に到達すると、通信コンテンツが通常再生され、通信動画像と放送動画像とが重ねて表示される。したがって、放送コンテンツの最初の部分を見逃した場合でも、その見逃した部分をユーザに表示することができるとともに、通信動画像と放送動画像とを同期させてユーザに表示することができる。
【００５２】
なお、本発明は、このような放送受信装置として実現することができるだけでなく、集積回路、その放送受信装置が放送コンテンツを受信する方法、コンピュータにその方法で放送コンテンツを受信させるためのプログラム、または、そのプログラムを格納する記録媒体としても実現することができる。
【００５３】
以下、実施の形態について、図面を参照しながら具体的に説明する。
【００５４】
なお、以下で説明する実施の形態は、いずれも包括的または具体的な例を示すものである。以下の実施の形態で示される数値、形状、材料、構成要素、構成要素の配置位置及び接続形態、ステップ、ステップの順序などは、一例であり、本発明を限定する主旨ではない。また、以下の実施の形態における構成要素のうち、最上位概念を示す独立請求項に記載されていない構成要素については、任意の構成要素として説明される。
【００５５】
（実施の形態１）
図１は、本実施の形態における放送受信装置を備えたＴＶを有するシステムを示す図である。
【００５６】
このシステムは、放送と通信とを融合させた、いわゆる放送通信融合システムであって、放送コンテンツを放送する放送局１０１と、ＴＶ１０４と、通信コンテンツを配信するサーバ１０２と、インターネット回線１０３とを有する。放送局１０１は、放送波または放送信号に放送コンテンツを挿入して放送する。サーバ１０２は、インターネット回線１０３を介して通信コンテンツをＴＶ１０４に送信する。
【００５７】
ＴＶ１０４は本実施の形態における放送受信装置とディスプレイとを備える。放送受信装置は、上述の放送コンテンツおよび通信コンテンツを受信する。そして、放送受信装置は、放送コンテンツによって示される動画像である放送動画像と、通信コンテンツによって示される動画像である通信動画像とを重ね合わせて、上述のディスプレイに出力する。これにより、ディスプレイには、放送動画像と通信動画像とが重ね合わされた画像が表示される。なお、本実施の形態では、放送受信装置がＴＶ１０４に備えられているが、他の装置または機器に備えられていてもかまわない。また、放送動画像と通信動画像とが重ね合わされた画像を、以下、ＰｉＰ画像という。
【００５８】
図２は、ＰｉＰ画像の一例を示す図である。
【００５９】
例えば、放送コンテンツと通信コンテンツの同期再生によって野球中継のマルチアングル視聴が実現される。放送受信装置は、放送局１０１から放送される放送コンテンツ２０１と、サーバ１０２からインターネット回線１０３を介して配信される通信コンテンツ２０２とを受信する。そして、放送受信装置は、放送コンテンツ２０１の放送動画像と通信コンテンツ２０２の通信動画像とを重畳してディスプレイ２０３に出力している。放送コンテンツ２０１は、バッター側のアングルから撮影された動画像である放送動画像を示し、通信コンテンツは、ピッチャー側のアングルから撮影された動画像である放送動画像を示す。このように、放送コンテンツのみでは表現しきれない要素を通信コンテンツで補うことで、視聴者により一層臨場感を伝えることが可能となる。放送受信装置は、放送コンテンツ２０１と通信コンテンツ２０２の同期再生時に、放送コンテンツ２０１には含まれていない言語の音声や字幕、特典映像等を通信コンテンツとして取得して出力してもよい。
【００６０】
図３は、本実施の形態における放送受信装置の構成を示す図である。
【００６１】
本実施の形態における放送受信装置１０Ａは、放送される放送コンテンツを受信する放送受信装置であって、放送コンテンツ受信部１１ａと、通信コンテンツ受信部１１ｂと、第１および第２のプレーン１３ａ，１３ｂと、レイアウト情報取得部１２と、重畳部１４とを備える。
【００６２】
放送コンテンツ受信部１１ａは放送コンテンツを受信する。通信コンテンツ受信部１１ｂは、放送以外の通信を介して配信される、上述の放送コンテンツに関連する通信コンテンツを受信する。通信以外の通信は、例えばインターネット回線１０３を介した通信であり、以下、単に通信ともいう。
【００６３】
第１および第２のプレーン１３ａ，１３ｂは、放送コンテンツによって示される動画像である放送動画像のピクチャと、通信コンテンツによって示される動画像である通信動画像のピクチャとを保持するためのプレーンである。例えば、第１のプレーン１３ａは、放送動画像および通信動画像のうちの一方の動画像のピクチャを保持し、第２のプレーン１３ｂは、他方の動画像のピクチャを保持する。なお、放送受信装置１０Ａは、第１および第２のプレーン１３ａ，１３ｂを含む１つのプレーンを備えていてもよい。
【００６４】
レイアウト情報取得部１２は、放送動画像および通信動画像のレイアウトを示すレイアウト情報２０を、放送受信装置１０Ａの外部から取得する。例えば、レイアウト情報２０は、放送または通信によって配信されている。
【００６５】
重畳部１４は、レイアウト情報２０にしたがって、ピクチャごとに、第１および第２のプレーン１３ａ，１３ｂに保持されている放送動画像のピクチャと通信動画像のピクチャとを重ねて出力する。例えば、重畳部１４は、放送動画像のピクチャおよび通信動画像のピクチャをそれぞれ保持するためのプレーンを、第１のプレーン１３ａと第２のプレーン１３ｂとで切り替えることによって、通信動画像を放送動画像の前面または背面に配置する。これにより、例えば、第１のプレーン１３ａに保持されるピクチャが背面に配置され、第２のプレーン１３ｂに保持されるピクチャが前面に配置されるように、それぞれのプレーンのピクチャが重ねられる順序が固定されている場合であっても、各プレーンに格納されるピクチャの種類が切り替えられるため、放送動画像のピクチャと通信動画像のピクチャとが重ねられる順序を適切に変更することができる。
【００６６】
なお、放送動画像のピクチャを保持するためのプレーンが第１のプレーン１３ａに固定され、通信動画像のピクチャを保持するためのプレーンが第２のプレーン１３ｂに固定されていてもよい。この場合には、重畳部１４は、第１および第２のプレーン１３ａ，１３ｂに保持されている２つのピクチャを、レイアウト情報２０にしたがった順序で重ね合わせる。
【００６７】
このように、本実施の形態における放送受信装置１０Ａでは、レイアウト情報２０により示されるレイアウトにしたがって、放送動画像と通信動画像とが重ねられて出力されるため、そのレイアウト情報２０に応じて、放送コンテンツの動画像と通信コンテンツの動画像とのレイアウトを変更することができる。つまり、放送局１０１がレイアウト情報２０を放送する場合には、放送局１０１側でレイアウトを変更することができる。
【００６８】
図４は、レイアウト情報２０の一例を示す図である。
【００６９】
レイアウト情報２０は、例えば図４に示すように、放送コンテンツの放送動画像の表示サイズおよび表示位置を示すとともに、通信コンテンツの通信動画像の表示サイズおよび表示位置を示す。ここで、レイアウト情報２０は、放送動画像および通信動画像のうちの一方の動画像が、他方の動画像よりも小さく、その他方の動画像の上に重ねられる場合には、他方の動画像のうちの特徴部分を除く位置に一方の動画像が重ねられるように、放送動画像の表示サイズおよび表示位置と、通信動画像の表示サイズおよび表示位置とを示す。
【００７０】
この場合、重畳部１４は、レイアウト情報２０によって示される、放送動画像および通信動画像のそれぞれの表示サイズで、レイアウト情報２０によって示される、放送動画像および通信動画像のそれぞれの表示位置に、放送動画像および放送動画像を配置する。
【００７１】
このように、本実施の形態における放送受信装置１０Ａでは、放送動画像および通信動画像のレイアウトを、表示サイズおよび表示位置によって適切に変更することができる。
【００７２】
図５は、本実施の形態における放送受信装置１０Ａの動作を示すフローチャートである。
【００７３】
まず、放送受信装置１０Ａは、放送以外の通信を介して配信される、放送コンテンツに関連する通信コンテンツを受信する（ステップＳ１０）。次に、放送受信装置１０Ａは、放送コンテンツを受信する（ステップＳ１１）。そして、放送受信装置１０Ａは、放送コンテンツによって示される動画像である放送動画像のピクチャと、通信コンテンツによって示される動画像である通信動画像のピクチャとを第１および第２のプレーン１３ａ，１ｂに保持させる（ステップＳ１２）。
【００７４】
次に、放送受信装置１０Ａは、放送動画像および通信動画像のレイアウトを示すレイアウト情報２０を、放送受信装置１０Ａの外部から取得する（ステップＳ１３）。そして、放送受信装置１０Ａは、そのレイアウト情報２０にしたがって、ピクチャごとに、第１および第２のプレーン１３ａ，１３ｂに保持されている放送動画像のピクチャと通信動画像のピクチャとを重ねて出力する（ステップＳ１４）。
【００７５】
ここで、重畳部１４は、通信コンテンツが通信コンテンツ受信部１１ｂによって受信されない場合には、通信動画像を重ねることなく、放送動画像を出力してもよい。これにより、動画像の無理な重畳がないため、ユーザの視聴にかかる負担を軽減することができる。
【００７６】
また、通信動画像がディスプレイ２０３の表示サイズ全体に表示され、放送動画像がディスプレイ２０３の表示サイズよりも小さいサイズで通信動画像に重ねられている場合がある。このような場合に、重畳部１４は、通信コンテンツが通信コンテンツ受信部１１ｂによって受信されていない状態になると、放送動画像の表示サイズを、ディスプレイ２０３の表示サイズまで拡大し、通信コンテンツが通信コンテンツ受信部１１ｂによって受信されている状態になると、放送動画像の表示サイズを、ディスプレイ２０３の表示サイズよりも小さいサイズに縮小してもよい。これにより、インターネット回線１０３を介した通信などの放送以外の通信の通信状況が変動する場合であっても、動画像をユーザに見やすく表示することができる。
【００７７】
また、放送コンテンツ受信部１１ａによって放送コンテンツが受信されている際に、放送以外の通信の状況が、通信コンテンツが受信可能な受信可能状況から、受信不可能な受信不可状況になり、再び受信可能状況になるときがある。このとき、通信コンテンツ受信部１１ｂは、再び受信可能状況になったとき以降に放送コンテンツ受信部１１ａによって受信される放送コンテンツの一部に関連する他の通信コンテンツを受信してもよい。この場合、重畳部１４は、レイアウト情報２０にしたがって、放送動画像と他の通信動画像とを重ねて出力する。これにより、放送以外の通信の状況が復旧した場合にも、レイアウト情報２０にしたがった動画像の重畳を適切に再開することができる。
【００７８】
（変形例１）
ここで、本実施の形態における第１の変形例について説明する。本変形例に係る放送受信装置では、ユーザによる指示によってレイアウトを変更する点に特徴がある。
【００７９】
図６は、本変形例に係るレイアウト情報を示す図である。
【００８０】
本変形例に係るレイアウト情報２０ａは、第１のレイアウトと第２のレイアウトとを示す。例えば、第１のレイアウトは、放送コンテンツの放送動画像をメインの動画像とし、通信コンテンツの通信動画像をサブの動画像とするためのレイアウトである。逆に、第２のレイアウトは、放送コンテンツの放送動画像をサブの動画像とし、通信コンテンツの通信動画像をメインの動画像とするためのレイアウトである。
【００８１】
図７は、本変形例に係る放送受信装置の構成を示す図である。
【００８２】
本変形例に係る放送受信装置１０Ｂは、放送受信装置１０Ａが備える構成要素を備えるとともに、さらに、レイアウトの指示を受け付ける指示受付部１５を備える。重畳部１４は、指示受付部１５によって第１のレイアウトの指示が受け付けられた場合には、第１のレイアウトにしたがって、通信動画像を放送動画像に重ねて出力し、指示受付部１５によって第２のレイアウトの指示が受け付けられた場合には、第２のレイアウトにしたがって、放送動画像を通信動画像に重ねて出力する。
【００８３】
このように、本変形例に係る放送受信装置１０Ｂでは、ユーザからのレイアウトの指示が受け付けられる場合には、レイアウト情報２０ａにより示される範囲でユーザがそのレイアウトを変更することができる。
【００８４】
（変形例２）
ここで、本実施の形態における第２の変形例について説明する。本変形例に係る放送受信装置では、放送コンテンツと通信コンテンツとを同期させる点に特徴がある。
【００８５】
図８は、本変形例に係る放送受信装置の構成を示す図である。
【００８６】
本変形例に係る放送受信装置１０Ｃは、放送受信装置１０Ａが備える構成要素を備えるとともに、さらに、同期情報２１を放送受信装置１０Ｃの外部から取得する同期情報取得部１６を備える。そして、重畳部１４は、その同期情報２１にしたがって、通信動画像と放送動画像とを重ねて出力することによって、通信動画像を放送動画像に同期させる。 
【００８７】
このように、本変形例に係る放送受信装置１０Ｃでは、通信動画像と放送動画像とを適切に重畳させた状態で同期させることができ、ユーザに対して見やすい映像を映し出すことができる。
【００８８】
図９は、本変形例に係る同期情報２１の一例を示す図である。
【００８９】
同期情報２１は、通信コンテンツ内の再生位置と、その再生位置のデータが再生される再生時刻とを関連付けて示すとともに、放送コンテンツのタイプを放送タイプとして示す。さらに、同期情報２１は、静止画を特定するための静止画特定情報を含む。
【００９０】
重畳部１４は、同期情報２１によって示される再生時刻に、通信動画像のうち、その再生時刻に関連付けて示される再生位置にあるピクチャと、放送動画像のピクチャとを重ねて出力する。これにより、通信動画像に含まれる複数のピクチャのうち、放送動画像のピクチャに対して適切なピクチャと、その放送動画像のピクチャとを重畳することができる。
【００９１】
また、重畳部１４は、放送タイプによって、放送コンテンツがライブ放送されるコンテンツであるか否かを判別し、ライブ放送されるコンテンツであると判別すると、放送動画像と通信動画像との重ね合わせを禁止する。
【００９２】
ここで、通信（例えばインターネット回線１０３を介した通信）の状況が悪くなると、通信コンテンツの受信は遅れる。その結果、放送コンテンツと通信コンテンツとを同期させることができなくなる場合がある。したがって、通信状況による影響を受けた場合でもこれらのコンテンツを適切に同期させるためには、通信コンテンツの受信を、放送コンテンツの受信よりも早めに開始しておく必要がある。しかし、放送コンテンツがライブ放送される場合には、通信コンテンツの受信を、放送コンテンツの受信よりも早めに開始することができない。そこで、本変形例に係る放送受信装置１０Ｃでは、放送コンテンツがライブ放送される場合には、放送動画像と通信動画像との重ね合わせを禁止することによって、例えば放送動画像のみをディスプレイに表示させることができ、非同期の動画像が表示されることによってユーザの視聴に負担がかかるのを防ぐことができる。
【００９３】
また、重畳部１４は、静止画特定情報によって特定される静止画と、放送動画像および通信動画像とを重ねて出力する。これにより、放送動画像および通信動画像に対して適切な静止画もそれらの動画像に重畳して表示させることができる。
【００９４】
（変形例３）
ここで、本実施の形態における第３の変形例について説明する。本変形例に係る放送受信装置では、通信の状況に応じた処理を行う点に特徴がある。
【００９５】
図１０は、本変形例に係る放送受信装置の構成を示す図である。
【００９６】
本変形例に係る放送受信装置１０Ｄは、放送受信装置１０Ａが備える構成要素を備えるとともに、さらに、放送以外の通信の状況を示す通信状況情報２２を取得する通信状況取得部１７を備える。
【００９７】
本変形例に係る通信コンテンツ受信部１１ｂは、放送コンテンツに関連する複数の通信コンテンツのうち、その通信状況情報２２によって示される通信の状況に応じた品質を有する通信コンテンツを受信する。
【００９８】
ここで、複数の通信コンテンツのそれぞれのビットレート、または、複数の通信コンテンツのそれぞれの解像度は互いに異なっている。そこで、通信コンテンツ受信部１１ｂは、その複数の通信コンテンツのうち、通信状況情報２２によって示される通信の状況に応じたビットレートまたは解像度を有する通信コンテンツを受信する。
【００９９】
これにより、そのときの通信状況に応じて、適切な通信コンテンツを受信することができ、通信動画像をユーザに見やすく表示することができる。
【０１００】
また、重畳部１４は、通信状況情報２２によって示される通信の状況である指標値が所定の値よりも低いまたは高い場合には、通信動画像を重ねることなく、放送動画像を出力してもよい。
【０１０１】
例えば、通信の状況である指標値は、使用可能なビットレートまたはパケットロスの頻度などであり、これらの指標値が所定の値よりも低いまたは高い場合には、通信コンテンツが通信コンテンツ受信部１１ｂによって受信されない可能性が高まる。したがって、本変形例に係る放送受信装置１０Ｄでは、上述のような場合には、通信動画像が重畳されないため、動画像の無理な重畳を防ぎ、ユーザの視聴にかかる負担を軽減することができる。
【０１０２】
（変形例４）
ここで、本実施の形態における第４の変形例について説明する。本変形例に係る放送受信装置では、放送コンテンツの続き、または、放送コンテンツのユーザによって見逃された動画像を、通信コンテンツによって補う点に特徴がある。
【０１０３】
図１１は、本変形例に係る放送受信装置の構成を示す図である。
【０１０４】
本変形例に係る放送受信装置１０Ｅは、放送受信装置１０Ａが備える構成要素を備えるとともに、さらに、放送コンテンツの続きの動画像を示す他の通信コンテンツの所在を示す所在情報２３を取得する所在情報取得部１８を備える。
【０１０５】
本変形例に係る通信コンテンツ受信部１１ｂは、放送コンテンツ受信部１１ａによる放送コンテンツの受信が終了すると、所在情報２３によって示される所在から他の通信コンテンツを受信する。また、本変形例に係る重畳部１４は、放送コンテンツ受信部１１ａによる放送コンテンツの受信が終了した後、他の通信コンテンツを出力する。
【０１０６】
これにより、ユーザは、放送コンテンツの続きを、通信コンテンツで視聴することができ、ユーザに対する利便性を向上することができる。
【０１０７】
ここで、所在情報取得部１８は、放送動画像と同一の通信動画像を示す通信コンテンツの所在を示す所在情報２３を取得してもよい。
【０１０８】
この場合、通信コンテンツ受信部１１ｂは、放送コンテンツ受信部１１ａによる放送コンテンツの受信が開始された後に、ユーザからの操作を受け付けると、所在情報２３によって示される所在から通信コンテンツを受信する。そして、重畳部１４は、放送コンテンツの受信が開始されときに、放送動画像の出力を開始し、通信コンテンツの受信が開始されときに、レイアウト情報２０にしたがって、放送動画像と、通信コンテンツの先頭から示される通信動画像とを重ねて出力する。
【０１０９】
これにより、ユーザは、放送コンテンツの最初の部分を見逃した場合でも、その後、通信コンテンツの先頭から、その見逃した部分を見ることができ、ユーザに対する利便性を向上することができる。
【０１１０】
また、重畳部１４は、放送動画像と通信動画像とを重ねる代わりに、通信動画像がディスプレイ２０３の表示サイズ全体に表示されるように、通信動画像を拡大して、通信動画像を出力してもよい。これにより、見逃した部分をユーザに見やすく表示することができる。
【０１１１】
また、重畳部１４は、放送動画像のうちの表示されている画像と、通信動画像のうちの表示されている画像とが等しくなるまで、早送り再生される通信コンテンツの通信動画像を出力してもよい。さらに、重畳部１４は、放送動画像のうちの表示されている画像と、通信動画像のうちの表示されている画像とが等しくなると、通常再生される通信コンテンツの通信動画像を出力してもよい。
【０１１２】
これにより、見逃した部分が早送り再生されて表示され、通信コンテンツ内の再生位置が、放送コンテンツ内の再生位置に到達すると、通信コンテンツが通常再生され、通信動画像と放送動画像とが重ねて表示される。したがって、放送コンテンツの最初の部分を見逃した場合でも、その見逃した部分をユーザに表示することができるとともに、通信動画像と放送動画像とを同期させてユーザに表示することができる。
【０１１３】
なお、所在情報２３は同期情報２１に含まれていてもよい。
【０１１４】
（変形例５）
ここで、本実施の形態における第５の変形例について説明する。本変形例に係る放送受信装置では、動画像の３Ｄ表示を行う点に特徴がある。
【０１１５】
本変形例では、放送動画像および通信動画像は、それぞれが互いに異なる目に視認されることによって立体視される、複数のピクチャからなる動画像である。
【０１１６】
この場合、本変形例に係る重畳部１４は、放送動画像に含まれるピクチャである放送ピクチャと、通信動画像に含まれるピクチャであって、放送ピクチャと対になって立体視される通信ピクチャとをそれぞれ重ねることなく、単位時間内に連続して出力する。また、通信ピクチャが通信コンテンツ受信部１１ｂによって受信されなかった場合には、重畳部１４は、放送ピクチャを単位時間内に２回連続して出力する。
【０１１７】
図１２Ａは、重畳部１４から出力されるピクチャを示す図である。
【０１１８】
この図１２Ａに示すように、重畳部１４は、放送ピクチャと、放送ピクチャと対になって立体視される通信ピクチャとを単位時間内に連続して出力する。また、通信ピクチャが受信されなかった場合には、重畳部１４は、放送ピクチャを単位時間内に２回連続して出力する。
【０１１９】
これにより、放送動画像と通信動画像とによって、動画像を３Ｄで表示することができる。さらに、通信コンテンツが受信されないような場合には、放送ピクチャが２回連続して出力されるため、動画像の表示を３Ｄ表示から２Ｄ表示に適切に切り替えることができる。その結果、不適切な動画像が表示されてしまうのを防ぐことができる。
【０１２０】
なお、本変形例に係る放送受信装置は、レイアウト情報取得部１２および重畳部１４を備えていなくてもよい。つまり、この放送受信装置は、レイアウト情報２０にしたがって、第１および第２のプレーン１３ａ，１３ｂに保持されている放送ピクチャと通信ピクチャとを重ねて出力する機能を備えずに、少なくとも、それらのピクチャを用いた動画像の３Ｄ表示機能を備えていればよい。
【０１２１】
図１２Ｂは、本変形例に係る放送受信装置の他の構成を示す図である。
【０１２２】
この放送受信装置１０Ｆは、放送ピクチャと通信ピクチャとを重ねて出力する機能を持たない装置であって、放送コンテンツ受信部１１ａと、通信コンテンツ受信部１１ｂと、第１および第２のプレーン１３ａ，１３ｂと、出力部１４Ｆとを備える。
【０１２３】
具体的には、この放送受信装置１０Ｆは、放送される放送コンテンツを受信する放送受信装置であって、放送以外の通信を介して配信される、前記放送コンテンツに関連する通信コンテンツを受信する通信コンテンツ受信部１１ｂと、前記放送コンテンツを受信する放送コンテンツ受信部１１ａと、前記放送コンテンツによって示される動画像である放送動画像のピクチャ（放送ピクチャ）と、前記通信コンテンツによって示される動画像である通信動画像のピクチャ（通信ピクチャ）とを保持するための第１および第２のプレーン１３ａ，１３ｂと、前記第１および第２のプレーン１３ａ，１３ｂに保持されている放送ピクチャと通信ピクチャとを出力する出力部１４Ｆとを備える。
【０１２４】
前記出力部１４Ｆは、前記放送動画像および通信動画像が、それぞれが互いに異なる目に視認されることによって立体視される、複数のピクチャからなる動画像である場合には、前記放送動画像に含まれるピクチャである放送ピクチャと、前記通信動画像に含まれるピクチャであって、前記放送ピクチャと対になって立体視される通信ピクチャとを交互に連続して出力し、前記通信ピクチャが前記通信コンテンツ受信部１１ｂによって受信されなかった場合には、前記放送ピクチャを２回連続して出力する。
【０１２５】
このような放送受信装置１０Ｆであっても、通信コンテンツが受信されないような場合には、放送ピクチャが２回連続して出力されるため、動画像の表示を３Ｄ表示から２Ｄ表示に適切に切り替えることができる。その結果、不適切な動画像が表示されてしまうのを防ぐことができる。
【０１２６】
（実施の形態２）
本実施の形態では、放送受信装置の詳細について説明する。
【０１２７】
図１３は、本実施の形態における放送受信装置の内部構成を示すブロック図である。
【０１２８】
図１３に示すように、放送受信装置１０４Ａは、実施の形態１の放送受信装置１０Ａ〜１０Ｅの何れかに相当し、チューナ３０１、ネットワークインターフェース３０２、バッファ３０３、バッファ３０４、デマルチプレクサ３０５、デマルチプレクサ３０６、イメージメモリ３０７、イメージデコーダ３０８、ビデオデコーダ３０９、ビデオデコーダ３１０、オーディオデコーダ３１１、同期制御器３１２、イメージプレーン３１３、ビデオプレーン３１４、ビデオプレーン３１５、スピーカ３１６、加算器３１７、シナリオメモリ３１８、および制御部３２２を備える。シナリオメモリ３１８は、カレント番組情報３１９、画面レイアウト情報３２０および同期コンテンツ情報３２１を格納するためのメモリである。制御部３２２は、サービスマネージャ３２３、チューナライブラリ３２４、通信ライブラリ３２５、ＡＶ再生ライブラリ３２６、レンダリングライブラリ３２７、およびリモコンマネージャ３２８から構成される。
【０１２９】
チューナ３０１は、放送波を受信し、放送コンテンツに対するアクセスを実行する。これにより、チューナ３０１は放送コンテンツを受信する。
【０１３０】
ネットワークインターフェース３０２は、インターネット回線１０３に接続して通信コンテンツを受信する。
【０１３１】
バッファ３０３は、チューナ３０１によって受信された放送コンテンツを格納するためのメモリである。
【０１３２】
バッファ３０４は、ネットワークインターフェース３０２によって受信された通信コンテンツを格納するためのメモリである。
【０１３３】
デマルチプレクサ３０５は、チューナ３０１によって受信された放送コンテンツのうちのトランスポートストリームに対して多重分離を行い、放送番組に関する情報と、ＧＯＰ（Group Of Picture）を構成するビデオフレームと、オーディオフレームと、静止画または字幕などのイメージデータとを得る。さらに、デマルチプレクサ３０５は、放送番組に関する情報をシナリオメモリ３１８に格納し、ビデオフレームをビデオデコーダ３１０に出力し、オーディオフレームをオーディオデコーダ３１１に出力する。さらに、デマルチプレクサ３０５は、イメージデータをイメージメモリ３０７に格納する。デマルチプレクサ３０５による多重分離は、ＴＳ（Transport Stream）パケットをＰＥＳ（Packetized Elementary Stream）パケットに変換するという変換処理を含む。
【０１３４】
デマルチプレクサ３０６は、ネットワークインターフェース３０２を介して受信された通信コンテンツのうちのトランスポートストリームに対して多重分離を行い、ＧＯＰを構成するビデオフレームと、オーディオフレームと、静止画または字幕などのイメージデータとを得る。さらに、デマルチプレクサ３０６は、ビデオフレームをビデオデコーダ３０９に出力し、オーディオフレームをオーディオデコーダ３１１に出力し、静止画または字幕などのイメージデータをイメージメモリ３０７に格納する。デマルチプレクサ３０６による多重分離は、ＴＳパケットをＰＥＳパケットに変換するという変換処理を含む。
【０１３５】
イメージメモリ３０７は、デマルチプレクサ３０５、デマルチプレクサ３０６またはバッファ３０４から読み出された静止画または字幕などのイメージデータを格納するためのバッファである。
【０１３６】
イメージデコーダ３０８は、イメージメモリ３０７に格納されたイメージデータをデコードし、復号されたイメージデータ（以下、イメージという）をイメージプレーン３１３に書き込む。イメージデータのデコードによって、静止画や字幕がディスプレイ２０３上に現れることになる。
【０１３７】
ビデオデコーダ３０９は、デマルチプレクサ３０６から出力されたビデオフレームを復号し、非圧縮形式のピクチャをビデオプレーン３１４に書き込む。
【０１３８】
ビデオデコーダ３１０は、デマルチプレクサ３０５から出力されたビデオフレームを復号し、非圧縮形式のピクチャをビデオプレーン３１５に書き込む。
【０１３９】
オーディオデコーダ３１１は、デマルチプレクサ３０５またはデマルチプレクサ３０６から出力されたオーディオフレームを復号し、非圧縮形式のオーディオデータを出力する。
【０１４０】
同期制御器３１２は、デマルチプレクサ３０５またはデマルチプレクサ３０６から出力された、復号再生処理の時刻管理のためのタイムスタンプを利用して、イメージ、ビデオ（ピクチャ）、およびオーディオデータが同期して出力されるように、イメージデコーダ３０８、ビデオデコーダ３０９、ビデオデコーダ３１０およびオーディオデコーダ３１１を制御する。
【０１４１】
イメージプレーン３１３は、非圧縮形式のイメージを格納しておくためのメモリである。
【０１４２】
ビデオプレーン３１４およびビデオプレーン３１５は、非圧縮形式のピクチャを格納しておくためのメモリである。
【０１４３】
スピーカ３１６は、非圧縮形式のオーディオデータである音声データを出力する。
【０１４４】
加算器３１７は、ビデオプレーン３１５に格納された非圧縮形式のピクチャに、ビデオプレーン３１４に格納された非圧縮形式のピクチャと、イメージプレーン３１３に格納されたイメージとを重ねて出力する。
【０１４５】
シナリオメモリ３１８は、カレント番組情報３１９、画面レイアウト情報３２０、および同期コンテンツ情報３２１を格納しておくためのメモリである。
【０１４６】
カレント番組情報３１９は、バッファ３０３に記録されている複数の番組情報のうち、現在再生中の番組に関するものである。
【０１４７】
画面レイアウト情報３２０は、実施の形態１のレイアウト情報２０，２０ａに相当し、バッファ３０３またはバッファ３０４に格納されている画面レイアウト情報のうち、現在処理対象になっているものである。
【０１４８】
同期コンテンツ情報３２１は、実施の形態１の同期情報２１に相当し、バッファ３０３またはバッファ３０４に格納されている同期コンテンツ情報のうち、現在処理対象になっているものをいう。
【０１４９】
制御部３２２は、ＲＯＭ、ＲＡＭ、およびＣＰＵからなるマイコンシステムであり、ＲＯＭには放送受信装置１０４Ａを制御するプログラムが記録されている。ＲＯＭ内のプログラムがＣＰＵに読み込まれ、プログラムとハードウェア資源とが協動することにより、サービスマネージャ３２３、チューナライブラリ３２４、通信ライブラリ３２５、ＡＶ再生ライブラリ３２６、レンダリングライブラリ３２７、およびリモコンマネージャ３２８の機能が実現される。 
【０１５０】
サービスマネージャ３２３は、シナリオメモリ３１８からカレント番組情報３１９を取得し、チューナライブラリ３２４を利用して周波数を含むチューニング情報を取得する。また、サービスマネージャ３２３は、シナリオメモリ３１８から画面レイアウト情報３２０および同期コンテンツ情報３２１を取得する。さらに、サービスマネージャ３２３は、通信ライブラリ３２５を利用して、通信コンテンツ（ストリームデータ等）をネットワークインターフェース３０２に取得させる。さらに、サービスマネージャ３２３は、ＡＶ再生ライブラリ３２６およびレンダリングライブラリ３２７を利用して、デマルチプレクサ３０５、デマルチプレクサ３０６、同期制御器３１２およびイメージプレーン３１３を制御することにより放送通信融合サービスを実行する。
【０１５１】
チューナライブラリ３２４は、チューナ３０１から周波数等のチューニング情報を取得する。
【０１５２】
通信ライブラリ３２５は、インターネット上に公開された放送追加コンテンツのダウンロードに用いられる。放送追加コンテンツとは、オリジナルの放送にないコンテンツで、例えば追加のアングル映像、副音声、字幕、特典映像、またはアプリケーションプログラムなどである。サービスマネージャ３２３は、通信ライブラリ３２５を制御することによって、インターネット上に公開されたその放送追加コンテンツをバッファ３０４やローカルストレージ等にダウンロードすることができる。
【０１５３】
ＡＶ再生ライブラリ３２６は、サービスマネージャ３２３からの関数呼び出しに応じて、ＡＶ再生機能を実行する。ＡＶ再生機能とは、再生開始、再生停止、一時停止、一時停止の解除、静止画機能の解除、再生速度を即値で指定した早送り、再生速度を即値で指定した巻戻し、音声切り替え、副映像切り替え、またはアングル切り替えといった処理である。
【０１５４】
レンダリングライブラリ３２７は、イメージデコーダ３０８を利用してイメージメモリ３０７に格納されたイメージデータをデコードしてイメージプレーン３１３に書き込む。また、レンダリングライブラリ３２７は、文字または図形等をイメージプレーン３１３に書き込んだりする。
【０１５５】
リモコンマネージャ３２８は、放送受信装置１０４Ａと通信するリモコンからの入力信号をサービスマネージャ３２３に伝える。
【０１５６】
なお、本実施の形態における放送受信装置１０４Ａで利用される画面レイアウト情報３２０または同期コンテンツ情報３２１は、インターネットを介して、つまりインターネット回線１０３を介して取得されてもよい。その場合、放送波の中に通信コンテンツの所在を示す情報を含ませておいてもよいし、放送局１０１のＷｅｂサイトにその情報を配置しておいてもよい。
【０１５７】
また、本実施の形態では、チューナ３０１、バッファ３０３、デマルチプレクサ３０５、およびビデオデコーダ３１０が実施の形態１の放送コンテンツ受信部１１ａに相当する。また、ネットワークインターフェース３０２、バッファ３０４、デマルチプレクサ３０６、およびビデオデコーダ３０９が実施の形態１の通信コンテンツ受信部１１ｂに相当する。さらに、チューナ３０１およびバッファ３０３が実施の形態１のレイアウト情報取得部１２、同期情報取得部１６および所在情報取得部１８に相当する。さらに、ビデオプレーン３１４，３１５がそれぞれ実施の形態１の第１および第２のプレーン１３ａ，１３ｂに相当し、同期制御器３１２および加算器３１７が実施の形態１の重畳部１４に相当する。また、通信ライブラリ３２５が実施の形態１の通信状況取得部１７に相当する。 
【０１５８】
図１４は、番組一覧情報の一例を示す図である。
【０１５９】
番組一覧情報４０１は、バッファ３０３に格納されている上述の複数の番組情報から構成される。この番組一覧情報４０１は、表形式に構成されており、チャンネルの識別子、チャンネル名、およびプログラム番号を含んでいる。プログラム番号とは、ＭＰＥＧ２規格で規定されているＰＭＴ（Program Map Table）を識別するための番号である。
【０１６０】
また、バッファ３０３にはプログラムサービス情報も格納される。このプログラムサービス情報は、ＭＰＥＧ２規格で規定されているＰＡＴ（Program Association Table）４０２およびＰＭＴ（Program Map Table）４０３を有する。ＰＡＴ４０２は、放送番組ごとに、プログラム番号とパケットＩＤを示し、パケットＩＤはＰＭＴ４０３を取得するために用いられる。ＰＭＴ４０３は、ＰＡＴ４０２で規定されたパケットＩＤのパケットに格納され送信されている。ＰＭＴ４０３は、ストリーム種別、パケットＩＤ、および補足情報から構成されている。オーディオ、ビデオ、およびデータはそれぞれ、エレメンタリーストリームと呼ばれ、同一のパケットＩＤで送信される複数のパケットからなる。データの補足情報は、例えば、ＭＰＥＧ規格書ＩＳＯ／ＩＥＣ１３８１８−６に記述されたＤＳＭＣＣという方式を示す。ここではＤＳＭＣＣの詳細な説明は省略する。ＤＳＭＣＣ方式では、ＭＰＥＧ２トランスポートストリームのパケットの中に、コンピュータで使用されているディレクトリやファイルで構成されるファイルシステムをエンコードする方法が規定されている。
【０１６１】
図１５は、画面レイアウト情報および同期コンテンツ情報の一例を示す図である。
【０１６２】
画面レイアウト情報３２０は、表示タイプごとに、放送コンテンツの位置（表示位置）およびサイズ（表示サイズ）と、その放送コンテンツと同期再生される通信コンテンツの位置（表示位置）およびサイズ（表示サイズ）とを示す。表示タイプはメインまたはサブである。放送コンテンツおよび通信コンテンツのうちの一方がメインとなり、放送コンテンツおよび通信コンテンツのうちの他方がサブとなる。例えば、メインは、動画像が大きく背面に表示されるコンテンツであり、サブは、動画像が小さく前面に表示されるコンテンツである。なお、本実施の形態では、放送コンテンツがメインとなり、通信コンテンツがサブとなる第１のレイアウトと、放送コンテンツがサブとなり、通信コンテンツがメインとなる第２のレイアウトとが、画面レイアウト情報３２０に示されているが、第１および第２のレイアウトのうちの一方だけが画面レイアウト情報３２０に示されていてもよい。また、本実施の形態における放送受信装置１０４Ａは、第１および第２のレイアウトが示されている場合には、デフォルトで第１のレイアウトを選択してもよい。
【０１６３】
同期コンテンツ情報３２１は、通信コンテンツを識別するためのコンテンツＩＤ、その通信コンテンツの所在を示すＵＲＬ、コーデックの種類、解像度、ビットレート、開始時刻、開始ＰＴＳ（Program Time Stamp）、終了時刻、および終了ＰＴＳを示す。この同期コンテンツ情報３２１は例えば放送コンテンツに付随して放送される。したがって、コンテンツＩＤは、放送コンテンツと通信コンテンツとの紐付けを行う。放送受信装置１０４Ａは、ＵＲＬによって通信コンテンツの取得先を特定し、コーデックの種類、解像度、およびビットレートによって通信コンテンツの属性を把握する。さらに、放送受信装置１０４Ａは、開始時刻、開始ＰＴＳ、終了時刻、および終了ＰＴＳによって、通信コンテンツの再生期間および再生時刻と、通信コンテンツを構成するストリーム内のデータの位置との関係を把握する。画面レイアウト情報３２０または同期コンテンツ情報３２１は、放送波に重畳（例えば、ＤＳＭＣＣのファイルシステム内への埋め込み）されていてもよいし、サーバ１０２に配置されていてもよい。これらの情報がサーバ１０２に配置される場合には、そのサーバ１０２へリンクするためのリンク情報のみを放送波に重畳しておいてもよい。画面レイアウト情報３２０によって示される位置の座標系は、絶対座標系に限らず、相対座標系であってもよい。同期コンテンツ情報３２１は、複数のコーデックの種類、複数の解像度、複数のビットレートを示していてもよい。つまり、同期コンテンツ情報３２１は、通信コンテンツごとに、コンテンツＩＤ、ＵＲＬ、およびコーデックの種類などを示していてもよい。
【０１６４】
図１６は、放送受信装置１０４Ａが放送コンテンツと通信コンテンツとを同期させて再生する処理を示すフローチャートである。
【０１６５】
まず、ある放送番組である放送コンテンツがユーザに視聴されているときに、ユーザによるリモコン操作によって、放送受信装置１０４Ａは、放送コンテンツと通信コンテンツとの同期再生の要求を受け付ける（ステップＳ６０１）。これにより、リモコンマネージャ３２８は、サービスマネージャ３２３へ、同期再生の要求を示すリモコンキー情報を送る。サービスマネージャ３２３は、そのリモコンキー情報を受けると、通信ライブラリ３２５を利用して通信コンテンツの取得、つまり通信コンテンツ取得処理を開始する（ステップＳ６０２）。通信コンテンツ取得処理に関する詳細は後述する。
【０１６６】
放送コンテンツと通信コンテンツとの同期再生に十分なデータ量の通信コンテンツが取得されると、サービスマネージャ３２３は、ＡＶ再生ライブラリ３２６に対して、画面レイアウト情報３２０によって示される通信コンテンツの表示サイズを指定し、通信コンテンツの再生を要求する。ＡＶ再生ライブラリ３２６は、同期制御器３１２を利用して、放送コンテンツに含まれるタイムスタンプ（ＰＴＳ）と通信コンテンツに含まれるタイムスタンプ（ＰＴＳ）を整合させ、夫々のコンテンツに含まれるピクチャをビデオプレーン３１４，３１５のそれぞれに書き込ませ、それらのピクチャを重畳して出力させる（ステップＳ６０３）。このようにして、放送コンテンツと通信コンテンツの同期再生が開始される。
【０１６７】
放送コンテンツと通信コンテンツの同期再生が開始されると、サービスマネージャ３２３は、現時点が、放送コンテンツである放送番組の終了時刻かどうか監視する（ステップＳ６０４）。ステップＳ６０４で、現時点が放送コンテンツの終了時刻でないと判別されると（ステップＳ６０４のＮｏ）、サービスマネージャ３２３は、ユーザによってチャンネルの切り替え（選局）が行われたかを監視する（ステップＳ６０５）。ステップＳ６０５で、切り替えが行われていないと判別されると（ステップＳ６０５Ｎｏ）サービスマネージャ３２３は、さらに、画面レイアウト情報３２０および同期コンテンツ情報３２１のうちの少なくとも１つが更新されたかどうかを確認する（ステップＳ６０６）。ステップＳ６０６で、画面レイアウト情報３２０および同期コンテンツ情報３２１が更新されていないと判別されると（ステップＳ６０６のＮｏ）、サービスマネージャ３２３は、放送コンテンツと通信コンテンツのそれぞれのビデオデータが同期再生するのに十分存在しているかどうかを確認する（ステップＳ６０７）。ステップＳ６０７で、放送コンテンツと通信コンテンツのそれぞれのビデオデータが同期再生するのに十分存在していると判別されると（ステップＳ６０７のＹｅｓ）、サービスマネージャ３２３は、ステップＳ６０４から処理を繰り返す。
【０１６８】
一方、ステップＳ６０６で、画面レイアウト情報３２０および同期コンテンツ情報３２１のうちの少なくとも１つが更新されていると判別されると（ステップＳ６０６のＹｅｓ）、または、ステップＳ６０７で、放送コンテンツと通信コンテンツのそれぞれのビデオデータが同期再生するのに十分存在していないと判別されると（ステップＳ６０７のＮｏ）、サービスマネージャ３２３は、通信コンテンツと同期再生されていた放送コンテンツの番組情報をメモリに保持する（ステップＳ６０８）。さらに、サービスマネージャ３２３は、その後、通信状況が正常かどうかを確認する（ステップＳ６０９）。ステップＳ６０９で、通信状況が正常であると判別されると（ステップＳ６０９のＹｅｓ）、サービスマネージャ３２３は、ステップＳ６０２の通信コンテンツ取得処理を行い、ステップＳ６０４から処理を繰り返す。一方、ステップＳ６０９で、通信状況が異常であると判別されると、サービスマネージャ３２３は、ただちに放送コンテンツと通信コンテンツの同期再生を停止する（ステップＳ６１０）。あるいは、サービスマネージャ３２３は、一旦、通信コンテンツがビデオプレーン３１４から出力されないようにしておき、通信状況が正常に復旧した場合に、再度通信コンテンツを取得して、通信コンテンツがビデオプレーン３１４から出力されるようにしてもよい。
【０１６９】
なお、ステップＳ６０２において取得される通信コンテンツと、ステップＳ６０３で受信される放送コンテンツとのうち、何れか一方のコンテンツにのみオーディオフレームまたはイメージデータが存在する場合は、放送受信装置１０４Ａは、そのオーディオフレームまたはイメージデータを復号して出力する。放送コンテンツと通信コンテンツの両方にオーディオデータまたはイメージデータが存在する場合は、放送受信装置１０４Ａは、ステップＳ６０３における同期再生時に、何れか一方のコンテンツを処理対象コンテンツとして認識する。そして、放送受信装置１０４Ａは、その処理対象コンテンツに含まれるオーディオフレームまたはイメージデータを復号して出力する。例えば、放送受信装置１０４Ａは、予め設定されている内容（例えば、言語など）に基づいて、その内容に応じたコンテンツを処理対象コンテンツとして認識する。または、放送受信装置１０４Ａは、同期再生に連動してイメージを出力するか否かを示す制御情報に基づいて、処理対象コンテンツを認識してもよく、処理対象コンテンツが何れのコンテンツであるかを示す情報に基づいて、処理対象コンテンツを認識してもよい。または、放送受信装置１０４Ａは、通信コンテンツおよび放送コンテンツのそれぞれによって示される動画像の表示サイズに応じて、処理対象コンテンツを認識してもよい。
【０１７０】
また、ステップＳ６０４で、現時点が放送コンテンツの終了時刻であると判別されると（ステップＳ６０４のＹｅｓ）、または、ステップＳ６０９で、通信状況が異常であると判別されると（ステップＳ６０９のＮｏ）、サービスマネージャ３２３は、通信コンテンツの再生を停止する（ステップＳ６１０）。
【０１７１】
また、図１６に示すフローチャートでは、チャンネルが切り替えられたときや、放送コンテンツが終了したときに、ＴＶ１０４の放送受信装置１０４Ａは自動的に通信コンテンツを停止する。しかし、このようなときでも、ＴＶ１０４は、別の放送番組である放送コンテンツが引き続き再生され、その別の放送番組に対応する通信コンテンツが存在する場合には、放送コンテンツと通信コンテンツの同期再生を継続してもよい。通信コンテンツの視聴に課金のための認証等が必要になる場合は、一旦通信コンテンツの再生を停止して、ユーザ認証完了後に通信コンテンツの再生を行ってもよい。
【０１７２】
図１７は、図１６におけるステップＳ６０２の通信コンテンツ取得処理の詳細を示すフローチャートである。
【０１７３】
まず、ＴＶ１０４の放送受信装置１０４Ａは、放送波に重畳された同期コンテンツ情報３２１を取得し（ステップＳ７０１）、さらに、画面レイアウト情報３２０を取得する（ステップＳ７０２）。次に、放送受信装置１０４Ａは、現在、放送コンテンツと通信コンテンツとが同期再生されているかどうかを確認する（ステップＳ７０３）。ステップＳ７０３で、放送コンテンツと通信コンテンツとが同期再生されていないと判別されると（ステップＳ７０３のＮｏ）、放送受信装置１０４Ａは、ＴＶ１０４のディスプレイ２０３の解像度および表示サイズなどを示す表示画面情報を取得する（ステップＳ７０４）。ここで、ステップＳ７０１で取得された同期コンテンツ情報３２１には、複数の通信コンテンツのそれぞれに対して、ビットレートなどのビデオ情報が示されている。そこで、放送受信装置１０４Ａは、ステップＳ７０１で取得された同期コンテンツ情報３２１、ステップＳ７０２で取得された画面レイアウト情報３２０、およびステップＳ７０４で取得された表示画面情報に基づいて、最も適切な通信コンテンツを取得する（ステップＳ７０５）。例えば、放送受信装置１０４Ａは、ディスプレイ２０３の表示サイズに合わせた、同期コンテンツ情報３２１に記載の必要最低限の品位（ビデオ情報）を持つ通信コンテンツを取得する。一方、ステップＳ７０３で、放送コンテンツと通信コンテンツとが同期再生されていると判別されると（ステップＳ７０３のＹｅｓ）、放送受信装置１０４Ａは、同期コンテンツ情報３２１に記載の高品位の通信コンテンツを取得する（ステップＳ７０５）。ただし、放送受信装置１０４Ａは、負荷や通信状況に応じて、ステップＳ７０５で取得される通信コンテンツの品位を変更してもよい。
【０１７４】
これにより、ユーザの指示により放送コンテンツと通信コンテンツとの同期再生が要求されてから開始するまでの時間を短くできることができる。また、放送コンテンツと通信コンテンツの同期再生中に通信コンテンツをフルスクリーン表示した場合でもユーザに高品位な表示を提示することができる。放送コンテンツの状態に合わせて通信コンテンツのリソースを自動的に回収することで別のサービスにリソースを割り当てることができる。通信コンテンツに異常が発生した場合に、ユーザに対して不適切な画像が提示されてしまうことを防ぐことができる。また、本実施の形態においても、実施の形態１と同様の効果を奏することができる。
【０１７５】
（変形例１）
ここで、本実施の形態における第１の変形例について説明する。
【０１７６】
本変形例に係る同期コンテンツ情報３２１には、通信コンテンツと同期再生される放送コンテンツの放送タイプが示されている。本変形例に係る放送受信装置１０４Ａは、その同期コンテンツ情報３２１を取得すると、その放送タイプに応じた再生処理を行う。
【０１７７】
図１８は、本変形例に係る同期コンテンツ情報３２１の一例を示す図である。
【０１７８】
この同期コンテンツ情報３２１は、通信コンテンツのコンテンツＩＤおよびＵＲＬなどを示すとともに、さらに、その通信コンテンツと同期再生される放送コンテンツの放送タイプ８０１を示す。具体的には、この放送タイプ８０１は、ライブ放送（ライブ）またはオンデマンド放送（録画）である。
【０１７９】
図１９は、本変形例に係る放送受信装置１０４Ａによる放送タイプ８０１を用いた再生処理を示すフローチャートである。
【０１８０】
放送受信装置１０４Ａは、まず、同期再生の予約の要求を受け付ける（ステップＳ９０１）。つまり、ユーザは、番組情報等を参考にＴＶ１０４を操作し、放送コンテンツと通信コンテンツの自動開始予約を行う。放送受信装置１０４Ａは、同期コンテンツ情報３２１の放送タイプ８０１がライブ放送であるかどうかを確認する（ステップＳ９０２）。ここで、ステップＳ９０２で、放送タイプ８０１がライブ放送でないと判別されると（ステップＳ９０２のＮｏ）、放送受信装置１０４Ａは、上述のステップＳ６０２の通信コンテンツ取得処理を行う。このとき、放送コンテンツの放送が開始される時刻まで十分に時間がある場合には、放送受信装置１０４Ａは、高品位（高画質）の通信コンテンツを取得しておいてもよい。
【０１８１】
放送受信装置１０４Ａは、同期再生に十分なデータ量の通信コンテンツが取得された後、その放送コンテンツである放送番組の放送が開始されるかどうかを監視する（ステップＳ９０３）。ステップＳ９０３で、放送番組の放送が開始されると判別されると（ステップＳ９０３のＹｅｓ）、放送受信装置１０４Ａは、上述のステップＳ６０３の同期再生、つまり、放送コンテンツと通信コンテンツとの同期再生を開始する。一方、ステップＳ９０３で、放送番組の放送が開始されないと判別されると（ステップＳ６０３のＮｏ）、放送受信装置１０４Ａは、その放送番組の放送が開始されるまで待機する。
【０１８２】
これにより、放送コンテンツのタイプに応じて事前に通信コンテンツのデータを取得することにより、放送コンテンツの放送開始と同時に、放送コンテンツを通信コンテンツと同期させて再生することが可能になる。
【０１８３】
なお、放送受信装置１０４Ａは、放送コンテンツと通信コンテンツとを同期させて再生することによって、これらのコンテンツを３Ｄ画像として再生してもよい。なお、このような再生を３Ｄ再生または３Ｄ表示ともいう。例えば、ＴＶ１０４の出力デバイスが３Ｄ対応の場合、放送受信装置１０４Ａは、放送コンテンツを右目用のデータとして出力し、通信コンテンツを左目用のデータとして出力することによって３Ｄ再生する。その場合、同期コンテンツ情報３２１は、その同期コンテンツ情報３２１に対応する放送コンテンツと通信コンテンツとが３Ｄ再生用のコンテンツであることを示す。これにより、放送受信装置１０４Ａは、３Ｄ再生用の出力設定（右目用データと左目用データを交互に出力する設定）を事前に行うことができる。
【０１８４】
また、３Ｄ再生する場合に、通信異常によって通信コンテンツのデータを受信することができなかった場合には、３Ｄ再生用の出力設定で表示される画像がユーザに違和感を感じさせる可能性があるため、放送受信装置１０４Ａは、ビデオプレーンに書き込まれた放送コンテンツを２度出力する。これにより、表示される画像は２Ｄ画像として視認されるが、違和感を緩和することが可能となる。このような場合、放送受信装置１０４Ａは、ユーザに対して事前に、通信異常によって２Ｄ画像に切り替わることを通知してもよい。これにより、ユーザは、２Ｄ画像への切り替えが行われることを容易に理解することができる。通信状況が異常から正常に戻れば、放送受信装置１０４Ａは通信コンテンツの再生を再開する。つまり、放送受信装置１０４Ａは、一方のビデオプレーンに書き込まれた放送コンテンツと、他方のビデオプレーンに書き込まれた通信コンテンツとを交互出力することによって、上述の３Ｄ再生を行う。また、通信異常等によって、通信コンテンツを受信することができず、３Ｄ再生が途中で途切れた場合には、放送受信装置１０４Ａは、途切れた時刻を保持しておく。そして、放送受信装置１０４Ａは、通信コンテンツを受信することができるようになった際に、ユーザが見逃した画像である、その時刻に対応する画像から、３Ｄ再生を再開してもよい。
【０１８５】
また、ユーザが放送開始時刻を過ぎてからＴＶ１０４の電源を入れ、放送コンテンツの冒頭部分を見逃してしまうことや、放送途中で席を立ち、一定時間、放送コンテンツを見逃してしまう場合がある。その様な場合、ＴＶ１０４の放送受信装置１０４Ａは、その放送コンテンツと同一の内容を示す通信コンテンツを取得して再生してもよい。これにより、放送受信装置１０４Ａを見逃し再生の代替手段としても利用することが可能である。冒頭部分を見逃してしまった場合、放送受信装置１０４Ａは、その冒頭部分である放送開始位置に対応する通信コンテンツを取得して再生する。コンテンツの種類に応じては、通常再生（１倍速再生）で視聴する必要は無いため、音声も聞き取れるくらいの速度である早見再生で、その通信コンテンツを視聴することも可能である。
【０１８６】
通信コンテンツの再生位置が、早見再生中に放送コンテンツの再生位置に追いついた場合には、放送受信装置１０４Ａは、通信コンテンツの再生を放送コンテンツの再生に切り替えるか、通信コンテンツの再生速度を自動的に通常再生の速度に戻す。また、ユーザは放送途中で席を立つ場合、リモコン操作等により、一時、放送コンテンツを視聴できないことをＴＶ１０４に通知する。このとき、ＴＶ１０４の放送受信装置１０４Ａはその通知を受けた時刻を保持する。そして、ユーザは席へ戻ると、リモコン操作等によって再度視聴したいことをＴＶ１０４に通知する。これにより、ＴＶ１０４の放送受信装置１０４Ａは、通信を利用して、保持している時刻に対応する通信コンテンツを取得し、前述同様に、早見再生を行ってもよい。また、放送受信装置１０４Ａは、放送コンテンツの特定のシーンを検索して表示したり、シーンの一部を拡大してもよい。
【０１８７】
なお、放送受信装置１０４Ａは、放送コンテンツと通信コンテンツとを連携するリレー中継を行ってもよい。例えば、ユーザが放送で野球のナイター中継のようなライブ中継を視聴している最中に、野球の試合自体は継続中だが放送が終了する場合がある。その様な場合に、放送受信装置１０４Ａは、放送（放送コンテンツ）の続きとして通信コンテンツを取得して再生する。また、放送受信装置１０４Ａは、放送コンテンツの大きい動画像の前面に、通信コンテンツの小さい動画像を重ねて出力している際に、放送が終了すると、その通信コンテンツの表示サイズを全画面に変更して、放送の続きとしてその通信コンテンツを継続して再生してもよい。
【０１８８】
（変形例２）
ここで、本実施の形態における第２の変形例について説明する。
【０１８９】
本変形例に係る放送受信装置は、ユーザによる操作に応じて、重畳される放送コンテンツと通信コンテンツのレイアウトを変更する。つまり、放送受信装置は、画面レイアウト情報３２０とユーザによる操作とに応じて、放送コンテンツと通信コンテンツの配置を入れ替えて表示する。例えば、野球中継では、センターバックスクリーンから撮影した映像を示す放送コンテンツが放送され、ユーザの好きな野手のみをクローズアップした映像を示す通信コンテンツがサーバ１０２にアップロードされる。この場合、ユーザは、放送コンテンツではなく、通信コンテンツをメインとしてフルスクリーンで表示させ、放送コンテンツをサブとして子画面で表示させて、それぞれのコンテンツを視聴したいと考える。そこで、ユーザは例えばリモコンを介して放送受信装置を操作して放送コンテンツと通信コンテンツの配置を入れ替える。つまり、ユーザは、希望どおり、通信コンテンツの動画像を大きく背面に表示させ、放送コンテンツの動画像を小さく前面に表示させることができる。
【０１９０】
図２０は、本変形例に係る放送受信装置の内部構成を示すブロック図である。
【０１９１】
本変形例に係る放送受信装置１０４Ｂは、図２０に示すように、上記実施の形態２における放送受信装置１０４Ａの全ての構成要素を備えるとともに、さらに、デコード切替器１００１と重畳切替器１００２とを備える。
【０１９２】
デコード切替器１００１は、イメージデコーダ３０８およびオーディオデコーダ３１１を制御する。これにより、デコード切替器１００１は、放送コンテンツに含まれるイメージデータおよびオーディオフレームのデコードと、通信コンテンツに含まれるイメージデータおよびオーディオフレームのデコードとを切り替える。重畳切替器１００２は、画面レイアウト情報３２０とユーザによる操作とに応じて、各プレーンに保持されているピクチャおよびイメージの重畳順を切り替える。なお、本実施の形態では、リモコンマネージャ３２８が実施の形態１の指示受付部１５に相当する。
【０１９３】
図２１は、本変形例に係る放送受信装置１０４Ｂによるレイアウトの変更、つまり重畳順の切り替えの一例を示すフローチャートである。
【０１９４】
本変形例に係る放送受信装置１０４Ｂは、ユーザによる指示により、画面切替要求を受け付ける（ステップＳ１１０１）。なお、この画面切替要求は、放送コンテンツと通信コンテンツに対するメインとサブの割り当てを切り替える要求である。さらに、放送受信装置１０４Ｂは、デコード対象となるイメージデータおよびオーディオフレームも合わせて切り替える必要があるかどうかを確認する（ステップＳ１１０２）。ステップＳ１１０２で、イメージデータやオーディオフレームも合わせて切り替える必要があると判別されると（ステップＳ１１０２のＹｅｓ）、放送受信装置１０４Ｂは、放送コンテンツおよび放送コンテンツのうちの一方のコンテンツに含まれる、現在、デコードされて出力されているイメージデータやオーディオフレームのデコードおよび出力を停止する（ステップＳ１１０３）。そして、ＡＶ再生ライブラリ３２６は、デコード切替器１００１に対して、他方のコンテンツに含まれる、デコードされていなかったイメージデータおよびオーディオフレームを、デコードするように要求する（ステップＳ１１０４）。これにより、デコード対象のイメージデータおよびオーディオフレームが切り替えられる。
【０１９５】
次に、放送受信装置１０４Ｂは、切り替えられたデコード対象のイメージデータおよびオーディオフレームのデコードおよび出力を開始する（ステップＳ１１０５）。そして、放送受信装置１０４Ｂは、一方のビデオプレーンに書き込まれている放送コンテンツのピクチャと、他方のビデオプレーンに書き込まれている通信コンテンツのピクチャとの重畳順を入れ替える（ステップＳ１１０６）。
【０１９６】
これにより、ユーザは、メインとサブを入れ替えることによって、通信コンテンツをメインとして視聴し、かつ、放送コンテンツをサブとして一緒に視聴することができるだけでなく、ビデオ表示をシームレスに切り替えることが可能になる。
【０１９７】
ただし、放送と比べて通信は途切れる可能性が高く不安定であるため、通信コンテンツをフルスクリーンで表示中に通信コンテンツが欠落する場合がある。そのような場合、放送受信装置１０４Ｂは、ユーザに対して状況を提示して放送コンテンツをフルスクリーン表示してもよい。その後、通信コンテンツが確保されると、放送受信装置１０４Ｂは放送コンテンツの表示サイズを自動的にもとの状態に戻してもよい。
【０１９８】
なお、本変形例では、重畳切替器１００２が上述の加算器３１７を利用して重畳順を入れ替えたが、放送コンテンツと通信コンテンツが書き込まれるビデオプレーンを入れ替えることにより、メインとサブを入れ替えてもよい。
【０１９９】
（変形例３）
ここで、本実施の形態における第３の変形例について説明する。
【０２００】
本変形例に係る同期コンテンツ情報３２１には、通信コンテンツと連動して表示される連動データに関する情報が示されている。本変形例に係る放送受信装置１０４Ａは、その同期コンテンツ情報３２１を取得すると、その連動データに関する情報に応じた再生処理を行う。
【０２０１】
図２２は、本変形例に係る同期コンテンツ情報３２１の一例を示す図である。
【０２０２】
この同期コンテンツ情報３２１は、通信コンテンツのコンテンツＩＤおよびＵＲＬなどを示すとともに、さらに、その通信コンテンツと連動して表示される連動データに関する情報１２０１を示す。具体的には、この情報１２０１は、指定された時刻に自動的にイメージデータなどの連動データを通信コンテンツに連動させて再生または出力することを可能にするための情報である。放送受信装置１０４Ａは、その情報１２０１に示される時刻に、その情報１２０１に示される名称の連動データを、放送またはインターネット回線１０３を介して取得して再生または出力する。なお、連動データは、静止画、字幕、または効果音等であり、例えば、通信コンテンツのビデオデータとフレーム単位で同期させて再生される。
【０２０３】
（変形例４）
本変形例に係る放送受信装置１０４Ａは、放送コンテンツの上に単一の通信コンテンツを重畳して表示するだけでなく、複数の通信コンテンツを重畳して表示する。例えば、野球中継では、センターバックスクリーンから撮影した映像を示す放送コンテンツが放送され、ピッチャー、キャッチャー、野手、およびチアガールをそれぞれ撮影した映像を示す通信コンテンツがサーバ１０２にアップロードされる。サーバ１０２は、それらのアップロードされた通信コンテンツを１つの通信コンテンツに編集して配信する。この場合、放送受信装置１０４Ａは、放送コンテンツをメインとして設定し、その放送コンテンツの動画像をフルスクリーンサイズで表示する。さらに、放送受信装置１０４Ａは、通信コンテンツをサブとして設定し、その通信コンテンツの動画像であって、ピッチャー、キャッチャー、野手、およびチアガールが映し出された動画像を小さい表示サイズで表示する。
【０２０４】
図２３は、本変形例に係る放送受信装置１０４Ａによって表示されるＰｉＰ画像の一例を示す図である。
【０２０５】
例えば、放送コンテンツと通信コンテンツの同期再生によって野球中継のマルチアングル視聴が実現される。放送受信装置１０４Ａは、放送局１０１から放送される放送コンテンツ２０１と、サーバ１０２からインターネット回線１０３を介して配信される通信コンテンツ１３０１とを受信する。そして、放送受信装置１０４Ａは、放送コンテンツ２０１の放送動画像と通信コンテンツ１３０１の通信動画像とを重畳してディスプレイ２０３に出力している。放送コンテンツは、バッター側のアングルから撮影された動画像である放送動画像を示し、通信コンテンツは、ピッチャー、キャッチャー、野手、およびチアガールが映し出された動画像である放送動画像を示す。このように、放送コンテンツのみでは表現しきれない要素を通信コンテンツで補うことで、視聴者により一層臨場感を伝えることが可能となる。
【０２０６】
図２４は、本変形例に係る同期コンテンツ情報３２１の一例を示す図である。
【０２０７】
本変形例に係る同期コンテンツ情報３２１は、上記実施の形態２の図１５に示す同期コンテンツ情報に含まれる内容を示すとともに、さらに、データタイプ１４０１、画面数１４０２、およびビデオ領域１４０３を示す。
【０２０８】
データタイプ１４０１は、その同期コンテンツ情報３２１に対応する通信コンテンツの種別である。具体的には、データタイプ１４０１は、複数のビデオストリームを１つに編集することによって生成されて放送コンテンツに重畳される通信コンテンツのタイプ（このタイプを例えばサムネイル表示という）、単一のビデオストリームからなり放送コンテンツに重畳される通信コンテンツのタイプ（このタイプを例えばアングル表示という）、および放送コンテンツと共に３Ｄ表示される通信コンテンツのタイプ（このタイプを３Ｄ表示という）等のうちの１つである。画面数１４０２は、サムネイル表示の通信コンテンツに含まれるビデオストリームの数である。ビデオ領域１４０３は、サムネイル表示の通信コンテンツに含まれるビデオストリームの表示領域である。
【０２０９】
このように本変形例では、通信コンテンツのタイプ（データタイプ１４０１）がサムネイル表示の場合には、１つの通信コンテンツに複数のビデオストリームが含まれているため、通信コンテンツ用にビデオデコーダおよびビデオプレーンが１つだけしかなくても、通信を介して得られる複数のビデオストリームの画像を同時に表示することができる。ただし、放送受信装置１０４Ａが、通信コンテンツ用にビデオデコーダおよびビデオプレーン等のリソースを複数個備えている場合には、複数の通信コンテンツを取得してそれらの通信コンテンツを個々にデコードすることで同様の効果を得ることができる。あるいは、サイマル放送を利用し、放送コンテンツと通信コンテンツのそれぞれから複数のビデオストリームを取得してそれらのビデオストリームを個々にデコードすることで同様の効果を得てもよい。
【０２１０】
（変形例５）
ここで、本実施の形態における第５の変形例について説明する。
【０２１１】
本変形例に係る放送受信装置は、画面レイアウト情報３２０および同期コンテンツ情報３２１だけでなく、アプリケーションプログラム（以下、アプリケーションという）も取得する。つまり、本変形例に係る放送受信装置は、そのアプリケーションに応じて、放送コンテンツと通信コンテンツの同期再生を行なう。これにより、本変形例に係る放送受信装置では、アプリケーションを配信した放送事業者や通信事業者が通信異常時等に対する処理を設定することができる。
【０２１２】
図２５は、本変形例に係る放送受信装置の内部構成を示すブロック図である。
【０２１３】
本変形例に係る放送受信装置１０４Ｃは、図２５に示すように、上記実施の形態２における放送受信装置１０４Ａの全ての構成要素を備えるとともに、さらに、アプリマネージャ１５０１を備える。アプリマネージャ１５０１は、ＤＳＭＣＣで放送波に埋め込まれたアプリケーション１５０２の起動および終了を管理する。あるいは、アプリマネージャ１５０１は、放送波に埋め込まれたアプリケーション１５０２の所在情報を利用して、通信を介してそのアプリケーション１５０２を取得し、そのアプリケーション１５０２の起動および終了を管理する。ここで、取得されたアプリケーション１５０２はシナリオメモリ３１８に格納され、アプリマネージャ１５０１は制御部３２２に備えられる。そして、アプリマネージャ１５０１は、シナリオメモリ３１８に格納されているアプリケーション１５０２を読み出して起動および終了する。
【０２１４】
なお、アプリケーション１５０２の言語は、どのような言語であってもよい。つまり、アプリケーション１５０２は、Ｊａｖａ（登録商標）言語で記述されたものでも、ＨＴＭＬ言語で記述されたものでも、ＢＭＬ言語で記述されたものであってもよい。放送受信装置１０４Ｃのサービスマネージャ３２３は、アプリケーション１５０２に対して、通信異常の通知をしたり、あるいは、画面レイアウト情報３２０または同期コンテンツ情報３２１の更新等を通知したりする。また、放送受信装置１０４Ｃのサービスマネージャ３２３は、アプリケーション１５０２に対して、放送コンテンツと通信コンテンツの同期再生を指示したり、指定されたビットレートや解像度の通信コンテンツの取得を指示したり、画面レイアウト情報３２０または同期コンテンツ情報３２１の取得を指示したり、表示画面情報の取得を指示したり、放送コンテンツと通信コンテンツの入れ替えを指示したり、表示／非表示の切替機能等を提示したりしてもよい。
【０２１５】
なお、一つまたは複数の態様にかかる放送受信装置について、上記の実施の形態およびその変形例に基づいて説明してきたが、本発明は、これらの実施の形態およびその変形例に限定されないのはもちろんである。本発明の趣旨を逸脱しない限り、当業者が思いつく各種変形を本実施の形態に施したものや、異なる実施の形態における構成要素を組み合わせて構築される形態も、一つまたは複数の態様の範囲内に含まれてもよい。
【０２１６】
本発明は、コンピュータを動作させるプログラムコードを含むコンピュータプログラムであるとしてもよいし、前記コンピュータプログラムからなるデジタル信号であるとしてもよい。つまり、上記各実施の形態において、各構成要素は、専用のハードウェアで構成されるか、各構成要素に適したソフトウェアプログラムを実行することによって実現されてもよい。各構成要素は、ＣＰＵまたはプロセッサなどのプログラム実行部が、ハードディスクまたは半導体メモリなどの記録媒体に記録されたソフトウェアプログラムを読み出して実行することによって実現されてもよい。
【０２１７】
ここで、上記各実施の形態の放送受信装置を実現するソフトウェアは、次のようなプログラムである。すなわち、このプログラムは、放送される放送コンテンツを受信するためのプログラムであって、放送以外の通信を介して配信される、前記放送コンテンツに関連する通信コンテンツを受信し、前記放送コンテンツを受信し、前記放送コンテンツによって示される動画像である放送動画像のピクチャと、前記通信コンテンツによって示される動画像である通信動画像のピクチャとをプレーンに保持させ、前記放送動画像および前記通信動画像のレイアウトを示すレイアウト情報を、前記放送受信装置の外部から取得し、前記レイアウト情報にしたがって、ピクチャごとに、前記プレーンに保持されている前記放送動画像のピクチャと前記通信動画像のピクチャとを重ねて出力することを、コンピュータに実行させる。
【０２１８】
また、本発明は、前記コンピュータプログラム又は前記デジタル信号をコンピュータ読み取り可能な記録媒体、例えば、フレキシブルディスク、ハードディスク、ＣＤ−ＲＯＭ、ＭＯ、ＤＶＤ、ＤＶＤ−ＲＯＭ、ＤＶＤ−ＲＡＭ、ＢＤ（Ｂｌｕ−ｒａｙ  Ｄｉｓｃ）、半導体メモリなど、に記録したものとしてもよい。
【０２１９】
また、本発明は、前記コンピュータプログラム又は前記デジタル信号を、電気通信回線、無線又は有線通信回線、インターネットを代表とするネットワーク等を経由して伝送するものとしてもよい。
【０２２０】
また、前記コンピュータプログラム又は前記デジタル信号を前記記録媒体に記録して移送することにより、又は前記コンピュータプログラム又は前記デジタル信号を前記ネットワーク等を経由して移送することにより、独立した他のコンピュータシステムにより実施するとしてもよい。
【０２２１】
本発明は、上記実施の形態に記載の装置を制御するＬＳＩとしても実施可能である。機能ブロックは、個別に１チップ化されてもよいし、一部または全てを含むように１チップ化されてもよい。
【０２２２】
ここでは、ＬＳＩとしたが、集積度の違いにより、ＩＣ、システムＬＳＩ、スーパーＬＳＩ、ウルトラＬＳＩと呼称されることもある。
【０２２３】
また、集積回路化の手法はＬＳＩに限るものではなく、専用回路または、汎用プロセッサで実現してもよい。ＬＳＩ製造後にプログラムすることが可能なＦＰＧＡ（Ｆｉｅｌｄ  Ｐｒｏｇｒａｍｍａｂｌｅ  Ｇａｔｅ  Ａｒｒａｙ）や、ＬＳＩ内部の回路セルの接続や設定を再構成可能なリコンフィギュラブル・プロセッサを利用してもよい。
【０２２４】
さらには、半導体技術の進歩または派生する別技術によりＬＳＩに置き換わる集積回路化の技術が登場すれば、当然、その技術を用いて機能ブロック及び部材の集積化を行ってもよい。このような技術には、バイオ技術の適用等が可能性としてありえる。
【０２２５】
保存データの移行対象たる読み書き可能な記録媒体として、上記各実施の形態では、記録媒体（例えばＨＤＤやＳＤカードやコンパクトフラッシュ（登録商標）などの半導体メモリ）を用いたが、本発明の特徴は、記録媒体の物理的特性に依存するものではなく、本発明は、他の読み書き可能な記録媒体にも適用できる。例えば、外付けハードディスクなどにデータが記録された場合においても上述と同様の効果を奏することはもちろんのことである。
【０２２６】
上記各実施の形態では、放送コンテンツと通信コンテンツとを融合して再生する再生機能を有する装置について説明したが、本発明は、再生機能のみを有するものではなく記録機能をも有する装置にも適用できることはもちろんのことである。また、上記各実施の形態及び上記各変形例をそれぞれ組み合わせるとしてもよい。
【産業上の利用可能性】
【０２２７】
本発明に係る放送受信装置は、放送コンテンツと通信コンテンツとのレイアウトを変更することができるという効果を奏し、例えば、テレビ受像機、再生装置またはモバイル機器などに適用することができる。
【符号の説明】
【０２２８】
１０Ａ〜１０Ｆ    放送受信装置
１１ａ    放送コンテンツ受信部 
１１ｂ    通信コンテンツ受信部
１２    レイアウト情報取得部
１３ａ    第１のプレーン
１３ｂ    第２のプレーン
１４    重畳部
１４Ｆ    出力部
１５    指示受付部
１６    同期情報取得部
１７    通信状況取得部
１８    所在情報取得部
２０，２０ａ    レイアウト情報
２１    同期情報
１０１    放送局
１０２    サーバ
１０３    インターネット回線
１０４    ＴＶ
１０４Ａ〜１０４Ｃ    放送受信装置
２０１    放送コンテンツ
２０２    通信コンテンツ
２０３    ディスプレイ
３０１    チューナ
３０２    ネットワークインターフェース
３０３    バッファ
３０４    バッファ
３０５    デマルチプレクサ
３０６    デマルチプレクサ
３０７    イメージメモリ
３０８    イメージデコーダ
３０９    ビデオデコーダ
３１０    ビデオデコーダ
３１１    オーディオデコーダ
３１２    同期制御器
３１３    イメージプレーン
３１４    ビデオプレーン
３１５    ビデオプレーン
３１６    スピーカ
３１７    加算器
３１８    シナリオメモリ
３１９    カレント番組情報
３２０    画面レイアウト情報
３２１    同期コンテンツ情報
３２２    制御部
３２３    サービスマネージャ
３２４    チューナライブラリ
３２５    通信ライブラリ
３２６    ＡＶ再生ライブラリ
３２７    レンダリングライブラリ
３２８    リモコンマネージャ
４０１    番組一覧情報
４０２    ＰＡＴ
４０３    ＰＭＴ 
８０１    放送タイプ
１００１    デコード切替器
１００２    重畳切替器
１２０１    連動データに関する情報
１３０１    通信コンテンツ
１４０１    データタイプ
１４０２    画面数
１４０３    ビデオ領域
１５０１    アプリマネージャ 
【図１】
2013061526.tif 000003
【図２】
2013061526.tif 000004
【図３】
2013061526.tif 000005
【図４】
2013061526.tif 000006
【図５】
2013061526.tif 000007
【図６】
2013061526.tif 000008
【図７】
2013061526.tif 000009
【図８】
2013061526.tif 000010
【図９】
2013061526.tif 000011
【図１０】
2013061526.tif 000012
【図１１】
2013061526.tif 000013
【図１２Ａ】
2013061526.tif 000014
【図１２Ｂ】
2013061526.tif 000015
【図１３】
2013061526.tif 000016
【図１４】
2013061526.tif 000017
【図１５】
2013061526.tif 000018
【図１６】
2013061526.tif 000019
【図１７】
2013061526.tif 000020
【図１８】
2013061526.tif 000021
【図１９】
2013061526.tif 000022
【図２０】
2013061526.tif 000023
【図２１】
2013061526.tif 000024
【図２２】
2013061526.tif 000025
【図２３】
2013061526.tif 000026
【図２４】
2013061526.tif 000027
【図２５】
2013061526.tif 000028
【国際調査報告】
2013061526.tif 000029
2013061526.tif 000030
2013061526.tif 000031
2013061526.tif 000032
2013061526.tif 000033
2013061526.tif 000034